(57)【特許請求の範囲】
【請求項１】
被覆面を備える基材と、
前記被覆面の少なくとも一部を被覆する反射層と、を備え、
前記反射層の表面は、複数の第１反射面、複数の第２反射面、および、第３反射面を含み、
前記反射層の表面と対向する平面視において、各第１反射面と各第２反射面とは、略正方形状を有する矩形面であり、互いに隣り合う前記矩形面の隙間が前記第３反射面によって埋められ、かつ、
前記基材の厚さ方向において、前記第１反射面と前記第３反射面との間の距離は、前記第１反射面において反射された光と前記第３反射面において反射された光との干渉によって前記反射層の表面が第１の有彩色の光を射出する大きさであり、かつ、
前記基材の厚さ方向において、前記第２反射面と前記第３反射面との間の距離は、前記第２反射面において反射された光と前記第３反射面において反射された光との干渉によって、前記反射層の表面が前記第１の有彩色とは異なる第２の有彩色の光を射出する大きさであり、かつ、
前記反射層の表面は、前記第１の有彩色の光と前記第２の有彩色の光とを含む第３の有彩色の光を射出し、
前記反射層の表面と対向する平面視において、前記第１反射面の一辺の長さが第１長さであり、各第１反射面が有する前記第１長さと、他の残りの前記第１反射面が有する前記第１長さとが互いに略等しく、
前記反射層の表面と対向する平面視において、前記第２反射面の一辺の長さが第２長さであり、各第２反射面が有する前記第２長さと、他の残りの前記第２反射面が有する前記第２長さとが互いに略等しく、
前記基材の厚さ方向において、前記第１反射面と前記第３反射面との間の距離が、前記第２反射面と前記第３反射面との間の距離よりも大きく、
前記第１長さが、前記第２長さよりも小さい
表示体。
【請求項２】
前記反射層の表面と対向する平面視において、各矩形面は、他の残りの前記矩形面から離れ、かつ、前記複数の矩形面は、前記反射層の表面の中にランダムに配置されている
請求項１に記載の表示体。
【請求項３】
前記反射層の表面と対向する平面視において、各矩形面は、他の残りの前記矩形面から離れ、かつ、前記複数の矩形面は、複数の仮想線の各々に沿って複数ずつ並び、
前記複数の仮想線と交差する直線上において、互いに隣り合う前記仮想線の間の距離には、互いに異なる大きさが含まれる
請求項１または２に記載の表示体。
【請求項４】
前記反射層の表面は、
複数の前記第１反射面、および、複数の前記第２反射面を含む第１表示部と、
複数の前記第１反射面、および、複数の前記第２反射面を含む第２表示部と、を含み、
前記第１表示部、および、前記第２表示部の各々において、複数の前記仮想線が設定され、かつ、１つの前記仮想線が他の残りの前記仮想線と互いに平行であり、
前記第１表示部における前記仮想線の延びる方向が第１方向であり、
前記第２表示部における前記仮想線の延びる方向が前記第２方向とは異なる第２方向であり、
前記第１方向と前記第２方向とが形成する角度が１０°以下である
請求項３に記載の表示体。
【請求項５】
前記反射層の表面と対向する平面視において、
前記反射層の表面は、
少なくとも１つの前記第１反射面が位置する領域である第１領域と、
少なくとも１つの前記第２反射面が位置する領域である第２領域と、
少なくとも１つの前記第１反射面と少なくとも１つの前記第２反射面とが位置する領域である第３領域と、を含む
請求項１から４のいずれか一項に記載の表示体。
【請求項６】
前記反射層の表面において、全ての前記第１反射面の占有する面積が第１反射面積であり、
前記反射層の表面において、全ての前記矩形面の占有する面積が矩形面積であり、
前記矩形面積は、前記反射層の表面の全体が有する面積に対して１５％以上５０％以下であり、
前記第１反射面積は、前記矩形面積に対して７０％以上１００％未満である
請求項１から５のいずれか一項に記載の表示体。
【請求項７】
複数の前記第１反射面、複数の前記第２反射面、および、前記第３反射面から第３表示部が構成され、
複数の前記第１反射面、複数の前記第２反射面、および、前記第３反射面から第４表示部が構成され、
前記第３表示部と前記第４表示部との各々において、全ての前記第１反射面が占有する面積が第１単位面積であり、全ての前記第２反射面が占有する面積が第２単位面積であり、全ての前記矩形面が占有する面積が第３単位面積であり、前記第３単位面積に対する前記第２単位面積の百分率が、第２反射面比であり、
前記第３表示部における前記第１単位面積と、前記第４表示部における前記第１単位面積とが互いに略等しく、
前記第３表示部における前記第２反射面比と、前記第４表示部における前記第２反射面比とは、１％以上３０％未満の範囲に含まれる
請求項１から６のいずれか一項に記載の表示体。
【請求項８】
前記基材の厚さ方向において、前記第１反射面と前記第２反射面との間の距離が、０．０２μｍ以上０．１μｍ以下である
請求項１から７のいずれか一項に記載の表示体。
【請求項９】
前記基材の厚さ方向において、前記第１反射面と前記第２反射面との間の距離が、０．２μｍ以上０．４５μｍ以下である
請求項１から７のいずれか一項に記載の表示体。
【請求項１０】
前記反射層の表面には、前記反射層の表面に入射した光を回折する回折部、前記反射層の表面に入射した光の反射を防止する反射防止部、前記反射層の表面に入射した光を散乱する光散乱部の少なくとも１つが形成されている
請求項１から９のいずれか一項に記載の表示体。
【請求項１１】
表示体と、
前記表示体を支持する支持部と、を備え、
前記表示体が請求項１から１０のいずれか一項に記載の表示体である
物品。
【請求項１２】
表示体の製造に用いられる原版であって、
１つの面を有した基板と、
前記基板の前記１つの面に形成されて、前記基板に接する面とは反対側の面である転写面を有するレジスト層と、を備え、
前記転写面は、複数の第１転写面、複数の第２転写面、および、第３転写面を含み、前記転写面の転写によって、前記表示体の被覆面が形成され、前記被覆面のうち、前記第１転写面によって第１被覆面が形成され、前記第２転写面によって第２被覆面が形成され、前記第３転写面によって第３被覆面が形成され、
前記転写面と対向する平面視において、各第１転写面および各第２転写面は略正方形状を有した矩形転写面であり、互いに隣り合う前記矩形転写面の隙間が前記第３転写面によって埋められ、かつ、
前記基板の厚さ方向において、前記第１転写面と前記第３転写面との間の距離は、前記被覆面を覆う反射層の表面のうち、前記第１被覆面の上に形成された部分において反射された光と、前記第３被覆面の上に形成された部分において反射された光との干渉によって前記反射層の表面が第１の有彩色の光を射出する大きさであり、かつ、
前記基板の厚さ方向において、前記第２転写面と前記第３転写面との間の距離は、前記反射層の表面のうち、前記第２被覆面の上に形成された部分において反射された光と、前記第３被覆面の上に形成された部分において反射された光との干渉によって前記反射層の表面が前記第１の有彩色とは異なる第２の有彩色の光を射出する大きさであり、かつ、
前記転写面は、前記反射層の表面が、前記第１の有彩色の光と前記第２の有彩色の光とを含む第３の有彩色の光を射出するように構成され、
前記転写面と対向する平面視において、前記第１転写面の一辺の長さが第１長さであり、各第１転写面が有する前記第１長さと、他の残りの前記第１転写面が有する前記第１長さとが互いに略等しく、
前記転写面と対向する平面視において、前記第２転写面の一辺の長さが第２長さであり、各第２転写面が有する前記第２長さと、他の残りの前記第２転写面が有する前記第２長さとが互いに略等しく、
前記基板の厚さ方向において、前記第１転写面と前記第３転写面との間の距離が、前記第２転写面と前記第３転写面との間の距離よりも大きく、
前記第１長さが、前記第２長さよりも小さい
原版。
【請求項１３】
表示体の製造に用いられる原版の製造方法であって、
基板の１つの面にレジスト層を形成する工程と、
前記レジスト層を露光する工程と、
露光された前記レジスト層を現像して、前記レジスト層に転写面を形成する工程と、を含み、
前記露光する工程では、
前記現像する工程の後において、前記転写面が、複数の第１転写面、複数の第２転写面、および、第３転写面を含み、前記転写面の転写によって、前記表示体の被覆面が形成され、前記被覆面のうち、前記第１転写面によって第１被覆面が形成され、前記第２転写面によって第２被覆面が形成され、前記第３転写面によって第３被覆面が形成され、
前記転写面と対向する平面視において、各第１転写面は略正方形状を有した矩形転写面であり、互いに隣り合う前記矩形転写面の隙間が前記第３転写面によって埋められ、かつ、
前記基板の厚さ方向において、前記第１転写面と前記第３転写面との間の距離は、前記被覆面を覆う反射層の表面のうち、前記第１被覆面の上に形成された部分において反射された光と、前記第３被覆面の上に形成された部分において反射された光との干渉によって、前記反射層の表面が第１の有彩色の光を射出する大きさであり、かつ、
前記基板の厚さ方向において、前記第２転写面と前記第３転写面との間の距離は、前記反射層の表面のうち、前記第２被覆面の上に形成された部分において反射された光と、前記第３被覆面の上に形成された部分において反射された光との干渉によって前記反射層の表面が前記第１の有彩色とは異なる第２の有彩色の光を射出する大きさであり、
前記転写面は、前記反射層の表面が、前記第１の有彩色の光と前記第２の有彩色の光とを含む第３の有彩色の光を射出する構成とし、
前記転写面と対向する平面視において、前記第１転写面の一辺の長さが第１長さであり、各第１転写面が有する前記第１長さと、他の残りの前記第１転写面が有する前記第１長さとが互いに略等しく、
前記転写面と対向する平面視において、前記第２転写面の一辺の長さが第２長さであり、各第２転写面が有する前記第２長さと、他の残りの前記第２転写面が有する前記第２長さとが互いに略等しく、
前記基板の厚さ方向において、前記第１転写面と前記第３転写面との間の距離が、前記第２転写面と前記第３転写面との間の距離よりも大きく、前記第１長さが、前記第２長さよりも小さくなるように、前記レジスト層を露光する
原版の製造方法。
【発明の詳細な説明】
【技術分野】
【０００１】
本発明は、偽造を防止する構造体として用いることが可能な表示体、表示体を備える物品、表示体の製造に用いられる原版、および、原版の製造方法に関する。
【背景技術】
【０００２】
紙幣、商品券、および、小切手などの有価証券類、クレジットカード、キャッシュカード、および、ＩＤカードなどのカード類、パスポート、および、免許証などの証明書類には、これらの偽造を防止するために、染料や顔料などによる印刷物とは異なる視覚的な効果を有する表示体が貼り付けられている。
【０００３】
印刷物とは異なる視覚的な効果を有している表示体として、複数のレリーフ型回折格子を備える表示体が知られている。複数のレリーフ型回折格子の間においては、溝の延びる方向、または、格子定数が互いに異なり、それによって、虹色に変化する像を表示体は表示することができる（例えば、特許文献１参照）。
【０００４】
こうした表示体は、物品の偽造を防止する目的で広く用いられているため、表示体に用いられている技術も広く知られている。結果として、表示体が偽造される可能性が高まりつつあるため、虹色に変化する像を表示する表示体よりも偽造を防止する効果が高い表示体が求められている。
【０００５】
近年では、偽造の防止効果を高めることを目的として、レリーフ型回折格子を備える表示体とは異なる視覚的な効果を有する表示体が提案されている。この表示体は、複数の第１面と第２面とから構成される凹凸構造を有し、複数の波長の光から構成される混色である有彩色を有した光を射出する（例えば、特許文献２参照）。
【先行技術文献】
【特許文献】
【０００６】
【特許文献１】米国特許第５０５８９９２号明細書
【特許文献２】特許第４９８３８９９号
【発明の概要】
【発明が解決しようとする課題】
【０００７】
ところで、上述の表示体では、複数の第１面と第２面との間の距離によって、表示体の射出する光の色が一意に決まる。そのため、表示体が表示することの可能な像の色は、表示体において実現することが可能な第１面と第２面との距離によって限定される。それゆえに、表示体には、より多用な色の像を表示できることが求められている。
本発明は、像における色の多様性を高めることができる表示体、物品、表示体の製造に用いられる原版、および、原版の製造方法を提供することを目的とする。
【課題を解決するための手段】
【０００８】
上記課題を解決する表示体は、被覆面を備える基材と、前記被覆面の少なくとも一部を被覆する反射層と、を備える。前記反射層の表面は、複数の第１反射面、複数の第２反射面、および、第３反射面を含み、前記反射層の表面と対向する平面視において、各第１反射面と各第２反射面とは、略正方形状を有する矩形面であり、互いに隣り合う前記矩形面の隙間が前記第３反射面によって埋められ、かつ、前記基材の厚さ方向において、前記第１反射面と前記第３反射面との間の距離は、前記第１反射面において反射された光と前記第３反射面において反射された光との干渉によって前記反射層の表面が第１の有彩色の光を射出する距離であり、かつ、前記基材の厚さ方向において、前記第２反射面と前記第３反射面との間の距離は、前記第２反射面において反射された光と前記第３反射面において反射された光との干渉によって、前記反射層の表面が前記第１の有彩色とは異なる第２の有彩色の光を射出する距離であり、かつ、前記反射層の表面は、前記第１の有彩色の光と前記第２の有彩色の光とを含む第３の有彩色の光を射出する。
上記課題を解決するための物品は、表示体と、前記表示体を支持する支持部と、を備え、前記表示体が上記表示体である。
【０００９】
上記課題を解決するための原版は、表示体の製造に用いられる原版である。１つの面を有した基板と、前記基板の前記１つの面に形成されて、前記基板に接する面とは反対側の面である転写面を有するレジスト層と、を備える。前記転写面は、複数の第１転写面、複数の第２転写面、および、第３転写面を含み、前記転写面の転写によって、前記表示体の被覆面が形成され、前記被覆面のうち、前記第１転写面によって第１被覆面が形成され、前記第２転写面によって第２被覆面が形成され、前記第３転写面によって第３被覆面が形成され、前記転写面と対向する平面視において、各第１転写面および各第２転写面は略正方形状を有した矩形転写面であり、互いに隣り合う前記矩形転写面の隙間が前記第３転写面によって埋められ、かつ、前記基板の厚さ方向において、前記第１転写面と前記第３転写面との間の距離は、前記被覆面を覆う反射層の表面のうち、前記第１被覆面の上に形成された部分において反射された光と、前記第３被覆面の上に形成された部分において反射された光との干渉によって前記反射層の表面が第１の有彩色の光を射出する大きさであり、かつ、前記基板の厚さ方向において、前記第２転写面と前記第３転写面との間の距離は、前記反射層の表面のうち、前記第２被覆面の上に形成された部分において反射された光と、前記第３被覆面の上に形成された部分において反射された光との干渉によって前記反射層の表面が前記第１の有彩色とは異なる第２の有彩色の光を射出する大きさであり、かつ、前記転写面は、前記反射層の表面が、前記第１の有彩色の光と前記第２の有彩色の光とを含む第３の有彩色の光を射出するように構成されている。
【００１０】
上記課題を解決するための原版の製造方法は、表示体の製造に用いられる原版の製造方法である。基板の１つの面にレジスト層を形成する工程と、前記レジスト層を露光する工程と、露光された前記レジスト層を現像して、前記レジスト層に転写面を形成する工程と、を含む。前記露光する工程では、前記現像する工程の後において、前記転写面が、複数の第１転写面、複数の第２転写面、および、第３転写面を含み、前記転写面の転写によって、前記表示体の被覆面が形成され、前記被覆面のうち、前記第１転写面によって第１被覆面が形成され、前記第２転写面によって第２被覆面が形成され、前記第３転写面によって第３被覆面が形成され、前記転写面と対向する平面視において、各第１転写面は略正方形状を有した矩形転写面であり、互いに隣り合う前記矩形転写面の隙間が前記第３転写面によって埋められ、かつ、前記基板の厚さ方向において、前記第１転写面と前記第３転写面との間の距離は、前記被覆面を覆う反射層の表面のうち、前記第１被覆面の上に形成された部分において反射された光と、前記第３被覆面の上に形成された部分において反射された光との干渉によって、前記反射層の表面が第１の有彩色の光を射出する大きさであり、かつ、前記基板の厚さ方向において、前記第２転写面と前記第３転写面との間の距離は、前記反射層の表面のうち、前記第２被覆面の上に形成された部分において反射された光と、前記第３被覆面の上に形成された部分において反射された光との干渉によって前記反射層の表面が前記第１の有彩色とは異なる第２の有彩色の光を射出する大きさであり、前記転写面は、前記反射層の表面が、前記第１の有彩色の光と前記第２の有彩色の光とを含む第３の有彩色の光を射出する構成となるように、前記レジスト層を露光する。
【００１１】
上記構成によれば、表示体に対して白色光が入射すると、第１反射面において反射する光と、第３反射面において反射する光との間で、光路長、すなわち、幾何学的な距離に屈折率を乗じた値に差が生じるため、表示体では、光路長に応じた光の干渉によって、特定の波長の光が弱めあう。そのため、第１反射面と第３反射面とを含む領域から射出される光は、白色ではなく、第１反射面と第３反射面との間の距離によって決められる所定の波長を有した光であって、所定の有彩色である第１の有彩色を有した光である。
【００１２】
これに対して、第２反射面において反射する光と、第３反射面において反射する光との間においても、光路長に差が生じるため、表示体では、光路長に応じた光の干渉によって、特定の波長の光が弱め合う。しかも、第２反射面と第３反射面との間の距離は、第１反射面と第３反射面との間の距離と異なるため、第２反射面と第３反射面とを含む領域から射出される光は、第１反射面と第３反射面とを含む領域から射出される光とは異なる波長を有する光であって、異なる有彩色である第２の有彩色を有した光である。
【００１３】
そして、表示体は、第１の有彩色と第２の有彩色とを含む第３の有彩色の光を射出するため、第３の有彩色の光は、２つの有彩色が加法混色された色である。それゆえに、第３の有彩色は、第１の有彩色および第２の有彩色の各々と比べて、彩度が低い色になる。結果として、第１反射面と第３反射面とのみを備える構成、および、第２反射面と第３反射面とのみを備える構成では表示することのできない色が得られるため、表示体の表示する像の色における多様性を高めることができる。
【００１４】
上記表示体では、前記反射層の表面と対向する平面視において、前記第１反射面の一辺の長さが第１長さであり、各第１反射面が有する前記第１長さと、他の残りの前記第１反射面が有する前記第１長さとが互いに略等しく、前記反射層の表面と対向する平面視において、前記第２反射面の一辺の長さが第２長さであり、各第２反射面が有する前記第２長さと、他の残りの前記第２反射面が有する前記第２長さとが互いに略等しく、前記第１長さと前記第２長さとが互いに異なることが好ましい。
上記表示体によれば、第１長さと第２長さとが互いに異なるため、各反射面が占有する面積や、各反射面の配置に関する設計の自由度が高められる。
【００１５】
上記表示体では、前記基材の厚さ方向において、前記第１反射面と前記第３反射面との間の距離が、前記第２反射面と前記第３反射面との間の距離よりも大きく、前記第１長さが、前記第２長さよりも小さくてもよい。
【００１６】
第１反射面と第３反射面との間の距離が大きいほど、第１反射面から射出された光と第３反射面から射出された光との干渉による光の波長が大きくなり、第２反射面と第３反射面との間の距離が大きいほど、第２反射面から射出された光と第３反射面から射出された光との干渉による光の波長が大きくなる。一方で、光の散乱角は、光の有する波長が小さいほど大きくなる。
【００１７】
この点で、上記表示体によれば、散乱角の小さい光の射出に寄与する第２反射面の面積が、散乱角の大きい光の射出に寄与する第１反射面の面積よりも大きい。そのため、反射層の表面と対向する平面視において、散乱角の小さい光が射出される面積が大きくなりやすい。それゆえに、第１反射面と第３反射面とによって生じる光と、第２反射面と第３反射面とによって生じる光とが、混合されやすくなる。
【００１８】
上記表示体では、前記反射層の表面と対向する平面視において、各矩形面は、他の残りの前記矩形面から離れ、かつ、前記複数の矩形面は、前記反射層の表面の中にランダムに配置されていてもよい。
【００１９】
上記表示体によれば、反射層の表面の中で、矩形面がランダムに配置されているため、反射層の表面から光が射出される方向に偏りが生じにくくなる。それゆえに、所定の方向に対して光が射出される構成と比べて、反射層の表面から射出された光が視認される領域が拡がる。
【００２０】
上記表示体では、前記反射層の表面と対向する平面視において、各矩形面は、他の残りの前記矩形面から離れ、かつ、前記複数の矩形面は、複数の仮想線の各々に沿って複数ずつ並び、前記複数の仮想線と交差する直線上において、互いに隣り合う前記仮想線の間の距離には、互いに異なる大きさが含まれてもよい。
【００２１】
上記表示体によれば、仮想線の各々の上に、複数の矩形面が並んでいるため、各仮想線上の複数の矩形面と、反射層の表面と対向する平面視において、第３反射面のうち、互いに隣り合う矩形面の間に位置する部分とが、１つの疑似面を形成していると見なすことができる。これにより、仮想線上に並ぶ矩形面と仮想線間に位置する第３反射面との間における反射光の干渉によって有彩色の光が生成され、有彩色の光の射出される方向には、反射層の表面と対向する平面視において、仮想線の延びる方向とほぼ直交する方向への指向性が与えられる。それゆえに、表示体が、所定の有彩色を有した光を射出しつつ、光を等方的に射出する構成と比べて、動的に変わる像を表示することができる。
【００２２】
上記表示体において、前記反射層の表面は、複数の前記第１反射面、および、複数の前記第２反射面を含む第１表示部と、複数の前記第１反射面、および、複数の前記第２反射面を含む第２表示部と、を含み、前記第１表示部、および、前記第２表示部の各々において、複数の前記仮想線が設定され、かつ、１つの前記仮想線が他の残りの前記仮想線と互いに平行であり、前記第１表示部における前記仮想線の延びる方向が第１方向であり、前記第２表示部における前記仮想線の延びる方向が前記第２方向とは異なる第２方向であり、前記第１方向と前記第２方向とが形成する角度が１０°以下であってもよい。
【００２３】
上記表示体によれば、第１表示部における仮想線の延びる方向と、第２表示部における仮想線の延びる方向とが形成する角度が１０°以下に抑えられている。そのため、各仮想線の延びる方向と、観察者の視線の方向とが形成する角度が変わるに連れて、第１表示部と第２表示部との間において輝度が連続的に変わる。
【００２４】
上記表示体では、前記反射層の表面と対向する平面視において、前記反射層の表面は、少なくとも１つの前記第１反射面が位置する領域である第１領域と、少なくとも１つの前記第２反射面が位置する領域である第２領域と、少なくとも１つの前記第１反射面と少なくとも１つの前記第２反射面とが位置する領域である第３領域と、を含んでもよい。
【００２５】
上記表示体によれば、第１の有彩色を有する光と、第２の有彩色を有する光とが、１つの領域である第３領域から射出されるため、第１の有彩色が射出される領域と、第２の有彩色が射出される領域とが分かれている構成と比べて、第１の有彩色と第２の有彩色とを高い解像度で混色することができる。
【００２６】
上記表示体では、前記反射層の表面において、全ての前記第１反射面の占有する面積が第１反射面積であり、前記反射層の表面において、全ての前記矩形面の占有する面積が矩形面積であり、前記矩形面積は、前記反射層の表面の全体が有する面積に対して１５％以上５０％以下であり、前記第１反射面積は、前記矩形面積に対して７０％以上１００％未満であることが好ましい。
【００２７】
複数の矩形面が反射層の表面の全体に対して占有する面積が５０％であるとき、反射層から射出される有彩色を有する光の光量を最大にすることができる。また、複数の矩形面が反射層の表面の全体に対して占有する面積が１５％以上であるとき、観察者が有彩色を有する光を視認することができる程度に十分な光量の光が、反射層から射出される。この点で、上記表示体の他の態様によれば、反射層から視認可能な光量の光が射出される。
【００２８】
さらに、第１反射面積は、矩形面積に対して７０％以上であるため、表示体が射出する光において、第１の有彩色を有する光の光量が支配的になる。すなわち、表示体が表示する像の色において、第１の有彩色が支配的になり、第２の有彩色は、第１の有彩色を修飾する付加的な色になる。それゆえに、表示体が表示する像の色における色相を第１の有彩色の色相から大きく変えることなく、像の色における彩度を制御することが可能である。
【００２９】
上記表示体において、複数の前記第１反射面、複数の前記第２反射面、および、前記第３反射面から第３表示部が構成され、複数の前記第１反射面、複数の前記第２反射面、および、前記第３反射面から第４表示部が構成され、前記第３表示部と前記第４表示部との各々において、全ての前記第１反射面が占有する面積が第１単位面積であり、全ての前記第２反射面が占有する面積が第２単位面積であり、全ての前記矩形面が占有する面積が第３単位面積であり、前記第３単位面積に対する前記第２単位面積の百分率が、第２反射面比であり、前記第３表示部における前記第１単位面積と、前記第４表示部における前記第１単位面積とが互いに略等しく、前記第３表示部における前記第２反射面比と、前記第４表示部における前記第２反射面比とは、１％以上３０％未満の範囲に含まれてもよい。
【００３０】
上記表示体によれば、２つの表示部の間において、第１単位面積が略等しいため、２つの表示部の間において、各表示部から射出される光の色がばらつくことが抑えられる。また、第１単位面積は第３単位面積に対して７０％以上であるため、表示体が射出する光において、第１の有彩色を有する光の光量が支配的になる。すなわち、表示体が表示する像の色において、第１の有彩色が支配的になり、第２の有彩色は、第１の有彩色を修飾する付加的な色になる。一方で、２つの表示部の間において、第２反射面比には、１％以上３０％未満の範囲から選択される複数の値が含まれ得る。そのため、表示体が表示する像の色における色相を第１の有彩色の色相から大きく変えることなく、像の色における彩度に多様性を持たせることができる。
【００３１】
上記表示体では、前記基材の厚さ方向において、前記第１反射面と前記第２反射面との間の距離が、０．０２μｍ以上０．１μｍ以下であってもよい。
上記表示体によれば、第１反射面と第２反射面との間の距離が、第１の有彩色と第２の有彩色との間において、色相が大きく変わらない程度に小さい。一方で、表示体が、第１の有彩色と第２の有彩色との混色によって、第１反射面と第３反射面とのみを備える構成、または、第２反射面と第３反射面とのみを備える構成によっては実現することができない中間色を有する光を表示体が射出することができる。
【００３２】
上記表示体では、前記基材の厚さ方向において、前記第１反射面と前記第２反射面との間の距離が、０．２μｍ以上０．４５μｍ以下であってもよい。
上記表示体によれば、第１反射面と第２反射面との間の距離が、第１の有彩色と第２の有彩色との間において、色相が大きく異なる程度に大きい。そのため、上記構成によれば、色相が互いに異なる２つの色を混色することで、表示体が、第１反射面と第３反射面とのみを備える構成、または、第２反射面と第３反射面とのみを備える構成によっては実現することができない中間色を有する光を表示体が射出することができる。
【００３３】
上記表示体において、前記反射層の表面には、前記反射層の表面に入射した光を回折する回折部、前記反射層の表面に入射した光の反射を防止する反射防止部、前記反射層の表面に入射した光を散乱する光散乱部の少なくとも１つが形成されていてもよい。
【００３４】
上記表示体によれば、回折部、反射防止部、および、光散乱部の少なくとも１つが反射面に形成されている分、表示体には、所定の有彩色を有した光を射出する以外の光学的な機能が付加される。
【発明の効果】
【００３５】
本発明によれば、表示体が表示する像における色の多様性を高めることができる。
【図面の簡単な説明】
【００３６】
【図１】本発明の表示体を具体化した第１実施形態における表示体の平面構造を示す平面図である。
【図２】図１のＩ−Ｉ線に沿う表示体の一部断面構造を示す部分断面図である。
【図３】表示体の一部断面構造を拡大して示す部分拡大断面図である。
【図４】反射面と対向する方向から見た１つの表示部の平面構造を示す平面図である。
【図５】格子定数が相対的に小さい回折格子が＋１次回折光を射出している状態を模式的に示す模式図である。
【図６】格子定数が相対的に大きい回折格子が＋１次回折光を射出している状態を模式的に示す模式図である。
【図７】表示部における反射層に対応する構造体の斜視構造を示す斜視図である。
【図８】表示部における第１反射面と第３反射面との作用を説明するための作用図である。
【図９】表示部における第２反射面と第３反射面との作用を説明するための作用図である。
【図１０】表示部の作用を説明するための作用図である。
【図１１】回折格子の作用を説明するための作用図である。
【図１２】本発明の物品をＩＣカードとして具体化した第１実施形態におけるＩＣカードの平面構造を示す平面図である。
【図１３】図１２におけるＩＩ−ＩＩ線に沿うＩＣカードの断面構造を示す断面図である。
【図１４】原版の製造方法における手順を説明するためのフローチャートである。
【図１５】原版の斜視構造を示す斜視図である。
【図１６】変形例の表示体が備える反射防止部の一例における斜視構造を示す斜視図である。
【図１７】変形例の表示体が備える光散乱部の一例における斜視構造を示す斜視図である。
【図１８】変形例における反射面と対向する方向から見た１つの表示部の平面構造を示す平面図である。
【図１９】変形例における表示体の一部断面構造を拡大して示す部分拡大断面図である。
【図２０】変形例における表示体の一部断面構造を示す部分断面図である。
【図２１】本発明の表示体を具体化した第２実施形態における反射面と対向する方向から見た１つの表示部の平面構造を示す平面図である。
【図２２】ヘアライン加工を用いて形成される構造体の一例を示す平面図である。
【図２３】反射面と対向する方向から見た複数の表示部の平面構造を示す平面図である。
【図２４】表示部の作用を説明するための作用図である。
【発明を実施するための形態】
【００３７】
［第１実施形態］
図１から図１１を参照して、本発明の表示体、物品、原版、および、原版の製造方法を具体化した第１実施形態を説明する。以下では、表示体の構成、表示体の作用、物品の構成、表示体の製造方法、および、原版の製造方法を順番に説明する。
【００３８】
［表示体の構成］
図１から図４を参照して、表示体の構成を説明する。なお、図１では、図示の便宜上から、表示体の備える反射層の図示が省略されている。
【００３９】
図１が示すように、表示体１０は、板形状を有する基材１１を備え、表示体１０には、第１表示領域１２、第２表示領域１３、および、第３表示領域１４が区画されている。各表示領域は、複数の表示部を含んでいる。第１表示領域１２は、アルファベットの「Ａ」を表示し、第２表示領域１３は、アルファベットの「Ｂ」を表示し、第３表示領域１４は、アルファベットの「Ｃ」を表示する。表示体１０は、第１表示領域１２、第２表示領域１３、および、第３表示領域１４によって、文字列「ＡＢＣ」を表示する。
【００４０】
なお、表示体１０は、２つ以下の表示領域を備えていてもよいし、４つ以上の表示領域を備えていてもよい。また、各表示領域は、文字以外の画像、例えば、数字、記号、および、絵柄などの像を表示してもよい。
【００４１】
図２は、図１に示されるＩ−Ｉ線に沿う断面構造であって、第１表示領域１２の一部における断面構造を示している。なお、第２表示領域１３、および、第３表示領域１４の各々は、表示体１０における位置が第１表示領域１２とは異なるものの、所定の有彩色を有した光を射出するための構成は第１表示領域１２と共通している。そのため、以下では、第１表示領域１２の構成を詳しく説明し、第２表示領域１３の構成、および、第３表示領域１４の構成の各々の説明を省略する。
【００４２】
図２が示すように、表示体１０は、光透過性を有する基材１１と、反射層２１とを備えている。基材１１は、支持層２２と凹凸層２３とから構成され、凹凸層２３のうち、支持層２２とは反対側の面が、凹凸面である被覆面２３ｓである。基材１１は、支持層２２と凹凸層２３とから構成されているが、被覆面２３ｓを有する１つの層のみから構成されていてもよい。
【００４３】
被覆面２３ｓは、複数の第１被覆面２３ａ、複数の第２被覆面２３ｂ、および、第３被覆面２３ｃを含んでいる。基材１１の厚さ方向において、第１被覆面２３ａの位置と、第２被覆面２３ｂとの位置が互いに異なり、第３被覆面２３ｃの位置は、第１被覆面２３ａの位置と第２被覆面２３ｂの位置との両方と異なっている。
【００４４】
反射層２１は、被覆面２３ｓの全体を覆っているが、被覆面２３ｓの少なくとも一部である第１被覆面２３ａ、第２被覆面２３ｂ、および、第３被覆面２３ｃを覆っていればよい。反射層２１のうち、凹凸層２３の被覆面２３ｓに接する面が、反射層２１の表面の一例である反射面２１ｓである。本実施形態では、表示体１０のうち、支持層２２から光が入射するため、反射層２１のうち、基材１１の被覆面２３ｓと接する面が、表示体１０に入射した光を反射する反射面２１ｓである。
【００４５】
反射層２１は、表示体１０に入射する光の反射する効率を高めるため、反射層を備えていない構成と比べて、表示体１０から射出される光の光量が大きくなる。それゆえに、反射層２１によれば、表示体１０の視認性が高まる。
【００４６】
なお、反射層２１に対して基材１１とは反対側から反射層２１に光が入射してもよい。この場合には、反射層２１のうち、被覆面２３ｓに接する面とは反対側の面が反射面として機能する。
【００４７】
反射面２１ｓは、複数の第１反射面２１ａ、複数の第２反射面２１ｂ、および、第３反射面２１ｃを含んでいる。基材１１の厚さ方向において、第１反射面２１ａの位置と第２反射面２１ｂの位置とが互いに異なり、かつ、第３反射面２１ｃの位置は、第１反射面２１ａの位置と、第２反射面２１ｂの位置との両方と異なっている。一方で、各第１反射面２１ａの位置は、他の残りの第１反射面２１ａと互いに等しく、各第２反射面２１ｂの位置は、他の残りの第２反射面２１ｂと互いに等しい。各第１反射面２１ａ、各第２反射面２１ｂ、および、第３反射面２１ｃは、それぞれ平坦面であり、各第１反射面２１ａと第３反射面２１ｃとは互いに略平行であり、各第２反射面２１ｂと第３反射面２１ｃとは互いに略平行である。
【００４８】
すなわち、反射面２１ｓのうち、第１被覆面２３ａと接する部分が第１反射面２１ａであり、第２被覆面２３ｂと接する部分が第２反射面２１ｂであり、第３被覆面２３ｃと接する部分が第３反射面２１ｃである。
【００４９】
基材１１の厚さ方向に沿う反射層２１の厚さは、例えば、３０ｎｍ以上１５０ｎｍ以下であり、反射層２１のうち、第１反射面２１ａにおける厚さ、第２反射面２１ｂにおける厚さ、および、第３反射面２１ｃにおける厚さは、互いに等しい。
【００５０】
図３が示すように、基材１１の厚さ方向において、第１反射面２１ａと第３反射面２１ｃとの間の距離が第１反射面間距離ＤＲ１である。第１反射面間距離ＤＲ１は、第１反射面２１ａにおいて反射された光である第１反射光ＲＬ１と、第３反射面２１ｃにおいて反射された光である第３反射光ＲＬ３との干渉によって、反射面２１ｓが、第１の有彩色の光を射出する大きさである。
【００５１】
基材１１の厚さ方向において、第２反射面２１ｂと第３反射面２１ｃとの間の距離が、第２反射面間距離ＤＲ２であり、第２反射面間距離ＤＲ２は、第１反射面間距離ＤＲ１よりも大きい。第２反射面間距離ＤＲ２は、第２反射面２１ｂにおいて反射された光である第２反射光ＲＬ２と、第３反射面２１ｃにおいて反射された光である第３反射光ＲＬ３との干渉によって、反射面２１ｓが、第１の有彩色とは異なる第２の有彩色の光を射出する大きさである。
【００５２】
反射面２１ｓに白色光が入射すると、複数の第１反射面２１ａの各々において反射された第１反射光ＲＬ１と、第３反射面２１ｃにおいて反射された第３反射光ＲＬ３との間で、光路長、すなわち、幾何学的な距離に対して屈折率を乗じた値に差が生じる。そして、こうした光路長の差に応じた光の干渉によって、反射面２１ｓにおける特定の波長を有する回折光の回折効率が低められ、かつ、他の波長を有する光の回折効率が低められることが抑えられる。これにより、反射面２１ｓが、所定の有彩色、すなわち、第１反射面間距離ＤＲ１に固有の有彩色を有した光を射出する。
【００５３】
また、複数の第２反射面２１ｂの各々において反射された第２反射光ＲＬ２と、第３反射面２１ｃにおいて反射された第３反射光ＲＬ３との間においても、第１反射光ＲＬ１と第３反射光ＲＬ３との間と同様、光路長に差が生じる。そのため、反射面２１ｓは、第２反射面間距離ＤＲ２に固有の有彩色であって、第１反射面間距離ＤＲ１に固有の有彩色とは異なる色を有した光を射出することができる。
【００５４】
結果として、反射面２１ｓは、第１反射光ＲＬ１と第３反射光ＲＬ３とによって生じる第１の有彩色を有した光と、第２反射光ＲＬ２と第３反射光ＲＬ３とによって生じる第２の有彩色を有した光とを含む第３の有彩色を有した光を射出する。つまり、表示体１０によれば、第１反射面２１ａと第３反射面２１ｃとのみを備える構成、および、第２反射面２１ｂと第３反射面２１ｃとのみを備える構成では表示することができない色を得ることができる。そのため、表示体１０の表示する像における色の多様性を高めることができる。
【００５５】
反射面２１ｓが、第１の有彩色の光、および、第２の有彩色の光を射出するためには、以下の構成であることが好ましい。すなわち、第１反射面２１ａに接する第１被覆面２３ａと第３反射面２１ｃに接する第３被覆面２３ｃとの間の距離が第１被覆面間距離ＤＣ１であり、第２反射面２１ｂに接する第２被覆面２３ｂと第３反射面２１ｃに接する第３被覆面２３ｃとの間の距離が第２被覆面間距離ＤＣ２である。そして、第１被覆面間距離ＤＣ１および第２被覆面間距離ＤＣ２の各々が、例えば、０．０５μｍ以上０．５μｍ以下の範囲に含まれることが好ましく、０．１５μｍ以上０．４μｍの範囲に含まれることがより好ましい。
【００５６】
第１被覆面間距離ＤＣ１および第２被覆面間距離ＤＣ２の各々が０．０５μｍ以上であるとき、可視光の波長の範囲に含まれる光を弱めることができるため、反射面２１ｓが射出する光の色が、白色よりも彩度の高い色を有する。また、第１被覆面間距離ＤＣ１および第２被覆面間距離ＤＣ２の各々が０．０５μｍ以上であるとき、表示体１０を製造するときの外的な要因、例えば、製造装置の状態、表示体１０を製造する環境の変動、表示体１０の形成材料における組成の変化が、表示体１０の光学的な性質に影響を及ぼしにくい。そして、第１被覆面間距離ＤＣ１および第２被覆面間距離ＤＣ２が０．５μｍ以下であるとき、第１被覆面間距離ＤＣ１および第２被覆面間距離ＤＣ２がより大きい構成と比べて、被覆面２３ｓをより高い形状の精度、および、寸法の精度で形成することができる。
【００５７】
なお、反射層２１に対して基材１１とは反対側から反射層２１に光が入射する構成では、反射層２１のうち、凹凸層２３に接する面とは反対側の面が反射層として機能する。そのため、反射層２１のうち、第１反射面２１ａにおける厚さ、第２反射面２１ｂにおける厚さ、および、第３反射面２１ｃにおける厚さが互いに等しい前提では、第１被覆面間距離ＤＣ１および第２被覆面間距離ＤＣ２の各々が上述した範囲を満たしていればよい。これにより、第１反射面間距離ＤＲ１および第２反射面間距離ＤＲ２の各々は、各距離に固有の有彩色の光を反射面が射出することができる大きさになる。
【００５８】
また、反射層２１のうち、第１反射面２１ａにおける厚さ、第２反射面２１ｂにおける厚さ、および、第３反射面２１ｃにおける厚さが互いに異なる構成であっても、以下の構成が満たされていればよい。すなわち、第１反射面間距離ＤＲ１が、第１被覆面間距離ＤＣ１における上述の範囲を満たし、かつ、第２反射面間距離ＤＲ２が、第２被覆面間距離ＤＣ２における上述の範囲を満たしていればよい。
【００５９】
基材１１の厚さ方向において、第１反射面２１ａと第２反射面２１ｂとの間の距離である第３反射面間距離ＤＲ３は、例えば、０．０２μｍ以上０．１μｍ以下であればよい。第３反射面間距離ＤＲ３が上述の範囲に含まれるとき、第１の有彩色における色相と、第２の有彩色における色相とが大きく変わらない。一方で、第１の有彩色と第２の有彩色とを混色することの効果によって、反射面２１ｓは、第１の有彩色と第２の有彩色との各々とは異なる中間色を有する第３の有彩色の光を射出することができる。
【００６０】
２つの有彩色の中間色である第３の有彩色は、第１の有彩色、および、第２の有彩色の各々と比べて、第３の有彩色と同一の色を再現することがより難しい。この点で、表示体１０が表示体１０の付された物品の偽造を防止する目的で用いられたときには、表示体１０、ひいては、表示体１０を備える物品の偽造がより難しくなる。
【００６１】
また、第３反射面間距離ＤＲ３は、例えば、０．２μｍ以上０．４５μｍ以下であってもよい。第３反射面間距離ＤＲ３が上述の範囲に含まれるとき、第１の有彩色における色相と、第２の有彩色における色相とが大きく異なる。そして、第３の有彩色は、色相が互いに異なる２つの色の混色になるため、第１の有彩色、および、第２の有彩色の各々よりも複雑な中間色になる。
【００６２】
第１被覆面２３ａと第３被覆面２３ｃとの間を繋ぐ側面２３ｄ、および、第２被覆面２３ｂと第３被覆面２３ｃとを繋ぐ側面２３ｄは、第３被覆面２３ｃに対して略垂直であるが、側面２３ｄは、第３被覆面２３ｃの法線方向に対して傾きを有していてもよい。ただし、側面２３ｄと第３被覆面２３ｃとが形成する角度は、垂直に近いほど好ましく、側面２３ｄと第３被覆面２３ｃとが形成する角度が垂直に近いほど、反射面２１ｓの射出する光の色における彩度が高まる。
【００６３】
なお、反射層２１のうち、側面２３ｄを覆う部分では、基材１１の厚さ方向と直交する方向の厚さが、反射層２１のうち、第１反射面２１ａ、第２反射面２１ｂ、および、第３反射面２１ｃの各々における部分での基材１１の厚さ方向に沿う厚さよりも小さい。
【００６４】
図４は、第１表示領域１２の一部であって、第１表示領域１２を構成する複数の表示部１２ｐのうちの１つを拡大して示している。なお、図４では、表示部１２ｐが正方形形状を有しているが、表示部１２ｐは、正方形形状以外の矩形形状、三角形形状、円形状、および、楕円形状などを有していてもよい。１つの表示部１２ｐは、表示部１２ｐ内で生じた第１の有彩色の光と第２の有彩色の光とが混合されて、第３の有彩色の光として射出されることが可能な大きさを有している。すなわち、表示部１２ｐが多角形形状を有しているときには、表示部１２ｐの外縁における一辺の長さは、３００μｍ以下であることが好ましい。各表示部１２ｐは、第１表示領域１２に１つの画像を表示させるための１つの画素として機能する。また、図４は、反射面２１ｓと対向する平面視における平面構造を示している。
【００６５】
図４が示すように、反射面２１ｓと対向する平面視において、各第１反射面２１ａと、各第２反射面２１ｂとは、略正方形状を有した矩形面２１ｒである。互いに隣り合う矩形面２１ｒの隙間が、第３反射面２１ｃによって埋められ、各矩形面２１ｒは、他の残りの矩形面２１ｒから離れている。
【００６６】
表示部１２ｐは、１つの方向であるＸ方向に延びる辺と、Ｘ方向と直交する方向であるＹ方向に沿って延びる辺とによって区画されている。表示部１２ｐ内において、複数の矩形面２１ｒは、Ｘ方向に沿ってランダムに並び、かつ、Ｙ方向に沿ってランダムに並んでいる。すなわち、Ｘ方向において、互いに隣り合う矩形面２１ｒの間の距離は、矩形面２１ｒの並ぶ順序に対して不規則に変わり、かつ、Ｙ方向において、互いに隣り合う矩形面２１ｒの間の距離は、矩形面２１ｒの並ぶ順序に対して不規則に変わっている。
【００６７】
また、複数の矩形面２１ｒのうち、複数の第１反射面２１ａは、Ｘ方向に沿ってランダムに並び、かつ、Ｙ方向に沿ってランダムに並んでいる。さらに、複数の矩形面２１ｒのうち、複数の第２反射面２１ｂは、Ｘ方向に沿ってランダムに並び、かつ、Ｙ方向に沿ってランダムに並んでいる。
【００６８】
反射面２１ｓの中で、矩形面２１ｒがランダムに配置されているため、反射面２１ｓから光が射出される方向に偏りが生じにくくなる。それゆえに、所定の方向に対して光が射出される構成と比べて、反射面２１ｓから射出された光が視認される領域が拡がる。ただし、表示体１０を観察する観察者の視線の方向と、反射面２１ｓから光が射出される方向とが形成する角度によっては、観察者は、反射面２１ｓが反射する光を視認することができない。
【００６９】
表示部１２ｐにおいて、各第２反射面２１ｂは、少なくとも１つの第１反射面２１ａと隣り合い、一部の第１反射面２１ａが第２反射面２１ｂと隣り合っていない。すなわち、表示部１２ｐによって区画される領域のうち、ほとんどの部分が、複数の第１反射面２１ａと複数の第２反射面２１ｂとが混在した混在領域である。
【００７０】
そのため、表示部１２ｐ内において、第１反射面２１ａが位置する領域である第１領域と、第２反射面２１ｂが位置する領域である第２領域とが分けられることで、第１領域と第２領域との境界においてのみ第１反射面２１ａと第２反射面２１ｂとが隣り合う構成と比べて、以下の点で好ましい。すなわち、混在領域から第１の有彩色の光と第２の有彩色の光が射出されるため、第１の有彩色の光と第２の有彩色の光とを高い解像度で混合することができる。
【００７１】
反射面２１ｓと対向する平面視において、各第１反射面２１ａの一辺の長さである第１長さＬ１は、各第２反射面２１ｂの一辺の長さである第２長さＬ２よりも小さい。第１長さＬ１と第２長さＬ２とが互いに異なるため、各反射面が占有する面積や、各反射面の配置に関する自由度が高められる。
【００７２】
反射面２１ｓと対向する平面視において、各矩形面２１ｒの一辺の長さは、０．３μｍ以上２μｍ以下であることが好ましい。こうした大きさを有する矩形面２１ｒが表示部１２ｐの内部に配置されるとき、互いに隣り合う矩形面２１ｒの間の距離は、例えば、０．３μｍ以上２μｍ以下とすることが可能である。
【００７３】
矩形面２１ｒの一辺の長さ、および、矩形面２１ｒの間の距離が、０．３μｍ以上２μｍ以下であるため、矩形面２１ｒの一辺の長さ、および、矩形面２１ｒの間の距離がより大きい構成と比べて、回折光の射出角が大きくなる。それゆえに、複数の光から構成される有彩色を有した光を観察することが可能な領域が拡がる。
【００７４】
表示部１２ｐでは、反射面２１ｓと対向する平面視において、各第１反射面２１ａにおける第１長さＬ１と、他の残りの第１反射面２１ａにおける第１長さＬ１とが互いに略等しいことが好ましい。すなわち、各第１反射面２１ａの面積は、他の残りの第１反射面２１ａの面積と互いに略等しいことが好ましい。
【００７５】
また、反射面２１ｓと対向する平面視において、各第２反射面２１ｂにおける第２長さＬ２と、他の残りの第２反射面２１ｂにおける第２長さＬ２とが互いに略等しいことが好ましい。すなわち、各第２反射面２１ｂの面積は、他の残りの第２反射面２１ｂの面積と互いに略等しいことが好ましい。
【００７６】
矩形面２１ｒの一辺の長さは、上述した０．３μｍ以上２μｍ以下であって、非常に微小であるため、矩形面２１ｒの一辺の長さがより大きい構成と比べて、矩形面２１ｒの加工が難しい。それゆえに、複数の矩形面２１ｒの各々を高い精度で加工する上では、各第１反射面２１ａにおける形状および面積は、他の残りの第１反射面２１ａにおける形状および面積と互いに略等しいことが好ましい。また、同様の理由から、各第２反射面２１ｂにおける形状および面積は、他の残りの第２反射面２１ｂにおける形状および面積と互いに略等しいことが好ましい。
【００７７】
表示部１２ｐでは、反射面２１ｓと対向する平面視において、第３反射面２１ｃの面積と、全ての第１反射面２１ａの面積と、全ての第２反射面２１ｂの面積との和が表示部１２ｐの総面積Ｓである。そして、表示部１２ｐにおいて、全ての第１反射面２１ａが占有する面積が第１単位面積Ｓ１であり、全ての第２反射面２１ｂが占有する面積が第２単位面積Ｓ２であり、全ての矩形面２１ｒが占有する面積が第３単位面積Ｓ３である。
表示部１２ｐにおいて、総面積Ｓに対する第３単位面積Ｓ３との和の百分率が矩形面比であり、矩形面比は、１５％以上５０％以下であることが好ましい。
【００７８】
なお、表示部１２ｐに配置される各矩形面２１ｒは略正方形状を有し、かつ、各矩形面２１ｒは、他の残りの矩形面２１ｒから離れて配置されるため、矩形面比における最大値は５０％である。表示部１２ｐにおける矩形面比が高い値であるほど、表示部１２ｐから射出される光の光量が大きくなるため、第１表示領域１２が表示する像を明るくする上で好ましい。また、矩形面比が１５％以上であるとき、表示部１２ｐから射出される光の光量が、第１表示領域１２が表示する像を観察者が観察することができる程度の大きさになる。
【００７９】
すなわち、表示部１２ｐが、第３の有彩色を有する光を射出し、かつ、射出光の光量を十分に大きくする上では、表示部１２ｐにおける矩形面比は、１５％以上５０％以下であることが好ましい。
【００８０】
また、第３単位面積Ｓ３に対する第１単位面積Ｓ１の百分率が、第１反射面比であり、第１反射面比は、７０％以上１００％未満であることが好ましい。この場合には、第２単位面積Ｓ２に対する第１単位面積Ｓ１の百分率が７０％以上であるため、表示体１０が射出する光において、第１の有彩色を有する光の光量が支配的になる。すなわち、表示体１０が表示する像の色において、第１の有彩色が支配的になり、第２の有彩色は、第１の有彩色を修飾する付加的な色になる。それゆえに、表示体１０が表示する像の色における色相を第１の有彩色の色相から大きく変えることなく、像の色における彩度を制御することが可能である。
【００８１】
［表示体の作用］
図５から図１１を参照して表示体１０の作用を説明する。なお、表示体１０の作用の説明に先立ち、回折格子の格子定数、すなわち、回折格子における溝のピッチ、照明光の波長、照明光の入射角、および、回折光の射出角の関係を説明する。
［回折格子］
光源から回折格子に照明光が照射されると、回折格子は、入射光である照明光の進行方向、および、波長に応じて特定の方向に強い回折光を射出する。
【００８２】
ｍ次回折光（ｍ＝０，±１，±２，・・・）の射出角βは、回折格子の有する溝が延びる方向に対して垂直な面内で光が進行する場合には、以下に示す式（１）から算出することができる。
【００８３】
【数１】
0006520360.tif 000002
【００８４】
式（１）において、ｄは回折格子の格子定数であり、ｍは回折次数であり、λは入射光および回折光の波長である。また、αは０次回折光、すなわち、正反射光の射出角であり、αの絶対値は照明光の入射角と等しく、回折格子が反射型回折格子であるときには、照明光の入射方向と正反射光の射出方向とは、回折格子が形成された面と正対する正対方向に対して対称である。
【００８５】
なお、回折格子が反射型回折格子であるときには、角度αは０°以上９０°未満である。また、回折格子が形成された面に対して斜め方向から照明光を照射し、正対方向の角度、すなわち、０°を境界値とする２つの角度範囲を設定するとき、角度βは、回折光の射出方向と正反射光の射出方向とが同じ角度範囲内に含まれるときには正の値であり、回折光の射出方向と照明光の入射方向とが同じ角度範囲内に含まれるときには負の値である。
【００８６】
図５は、相対的に小さい格子定数を有する回折格子が、１次回折光を射出している状態を模式的に示している。一方で、図６は、相対的に大きい格子定数を有する回折格子が、１次回折光を射出している状態を模式的に示している。
【００８７】
図５、および、図６の各々が示すように、点光源ＬＳは白色を有する照明光ＩＬを放射し、照明光ＩＬは、赤色の波長領域に含まれる波長を有する赤色光成分と、緑色の波長領域に含まれる波長を有する緑色光成分と、青色の波長領域に含まれる波長を有する青色光成分とを含む。点光源ＬＳが放射した緑色光成分、青色光成分、および、赤色光成分は、正対方向ＣＤに対して入射角αで回折格子ＧＲに入射する。回折格子ＧＲは、緑色光成分の一部を射出角が射出角βｇである回折光ＤＬｇとして射出し、青色光成分の一部を射出角が射出角βｂである回折光ＤＬｂとして射出し、赤色光成分の一部を射出角が射出角βｒである回折光ＤＬｒとして射出する。
【００８８】
また、図５に示される射出角βと、図６に示される射出角βとの比較から明らかなように、回折格子ＧＲにおける格子定数ｄが大きいほど、回折光は正反射光ＲＬの射出される方向に近い方向に射出される。また、回折格子ＧＲにおける格子定数ｄが大きいほど、射出角βｇ、射出角βｂ、および、射出角βｒの間における角度の差が小さくなる。
【００８９】
なお、図５および図６では、図示の便宜上から、回折格子ＧＲの射出する回折光であって、式（１）によって導出される他の次数の回折光の図示が省略されている。
【００９０】
このように、所定の照明条件のもとでは、回折格子ＧＲは、回折光の波長に応じた異なる射出角で回折光を射出する。回折格子ＧＲは、例えば、太陽および蛍光灯などの白色光源のもとでは、互いに異なる波長を有した光を別々の射出角で射出する。そのため、回折格子ＧＲが表示する像の色は、回折格子ＧＲを観察する観察者の観察角度であって、回折格子ＧＲの形成された面に対する観察者の視線の方向が変わるにつれて虹色に変わる。
式（２）を参照して、回折格子の格子定数、照明光の波長、および、回折光の射出角方向における回折光の強度、すなわち、回折効率の関係を説明する。
【００９１】
上述した式（１）によれば、格子定数ｄの回折格子ＧＲに対して、入射角αで照明光を入射させると、回折格子は、射出角βで回折光を射出する。このとき、波長λの光における回折効率は、回折格子の格子定数、および、溝の深さなどに応じて変化し、以下に示す式（２）から算出することができる。
【００９２】
【数２】
0006520360.tif 000003
【００９３】
ここで、ηは回折効率（ηは０から１の値）であり、ｒは回折格子の溝の深さであり、Ｌは回折格子の溝の幅であり、ｄは格子定数であり、θは照明光の入射角であり、λは照明光および回折光の波長である。なお、式（２）は、溝の長さ方向に垂直な断面が矩形波形状を有し、かつ、溝の深さが比較的小さい回折格子において成り立つ。
【００９４】
式（２）から明らかなように、回折効率ηは、溝の深さｒ、格子定数ｄ、入射角θ、および、波長λに応じて変化する。また、回折効率ηは、回折次数ｍが高次になることに伴って、徐々に減少する傾向を有する。
【００９５】
［表示体］
図７から図１１を参照して、表示体１０の光学的な性質を説明する。なお、図７は、複数の第１反射面２１ａ、複数の第２反射面２１ｂ、および、第３反射面２１ｃを含む表示部１２ｐの一例における斜視構造を示している。
【００９６】
また、図７および図１０では、図示の便宜上から、反射層２１を、第１反射面２１ａを頂面として備える複数の第１凸部、第２反射面２１ｂを頂面として備える複数の第２凸部、および、第３反射面２１ｃを複数の第１凸部と複数の第２凸部とが位置する１つの面として有する層から形成される構造体として示している。
【００９７】
一方で、図８では、説明の便宜上から、図７における反射層２１のうち、第２反射面２１ｂを有する第２凸部の図示を割愛し、図９では、説明の便宜上から、図７における反射層２１のうち、第１反射面２１ａを有する第１凸部の図示を割愛している。
【００９８】
また、以下では、説明の便宜上から、反射層２１に向けて放射される白色を有した照明光ＩＬに含まれる成分を、赤色光、緑色光、および、青色光に限定しているが、実際には、照明光ＩＬは、これらの有彩色を有した光以外の成分を含んでいる。
【００９９】
図７が示すように、反射層２１の表面である反射面２１ｓは、複数の第１反射面２１ａ、複数の第２反射面２１ｂ、および、第３反射面２１ｃを含み、各第１反射面２１ａと各第２反射面２１ｂとの各々が、略正方形状の矩形面２１ｒである。
【０１００】
反射面２１ｓと対向する平面視において、各矩形面２１ｒは、他の残りの矩形面２１ｒから離れ、互いに隣り合う矩形面２１ｒの間が第３反射面２１ｃによって埋められている。また、反射面２１ｓと対向する平面視において、１つの表示部１２ｐが有する反射面２１ｓの中に、複数の矩形面２１ｒがランダムに配置され、かつ、複数の第１反射面２１ａ、および、複数の第２反射面２１ｂが、それぞれランダムに配置されている。
【０１０１】
Ｘ方向とＹ方向との両方に直交する方向であって、基材１１の厚さ方向と平行な方向がＺ方向であり、Ｚ方向における第１反射面２１ａと第３反射面２１ｃとの間の距離である第１反射面間距離ＤＲ１は、第２反射面２１ｂと第３反射面２１ｃとの間の距離である第２反射面間距離ＤＲ２よりも小さい。
【０１０２】
図８が示すように、反射面２１ｓに光源ＬＳの放射した照明光ＩＬが入射したとき、例えば、第１反射面間距離ＤＲ１に応じて、６３０ｎｍの波長を有する赤色光の回折効率が低下する。これにより、反射面２１ｓから射出される回折光に含まれる成分は、４６０ｎｍの波長を有した第１青色光ＤＬｂ１と、５４０ｎｍの波長を有した第１緑色光ＤＬｇ１になる。そのため、反射面２１ｓから射出される光は、第１の有彩色であるシアン色を有した光を含む。
【０１０３】
また、反射面２１ｓの中で、第１反射面２１ａは、ランダムに配置されているため、反射面２１ｓから射出される第１青色光ＤＬｂ１、および、第１緑色光ＤＬｇ１の各々には、反射面２１ｓの上に位置するＸＺ平面、および、ＹＺ平面の両方に射出される光が含まれる。なお、図８では、図示の便宜上から、ＸＺ平面、および、ＹＺ平面の各々に向けて射出される光のみが図示されているが、ＸＺ平面とＹＺ平面とによって挟まれる空間にも、反射面２１ｓから光が射出される。
【０１０４】
図９が示すように、反射面２１ｓに光源ＬＳの放射した照明光ＩＬが入射したとき、例えば、第２反射面間距離ＤＲ２に応じて、第１反射面間距離ＤＲ１に応じて回折効率が低められる光とは異なる波長を有した光であって、６８０ｎｍの波長を有する赤色光の回折効率が低下する。これにより、反射面２１ｓから射出される回折光に含まれる成分は、５１０ｎｍの波長を有した第２青色光ＤＬｂ２と、５９０ｎｍの波長を有した第２緑色光ＤＬｇ２になる。そのため、反射面２１ｓから射出される光は、第１の有彩色とは異なる第２の有彩色であって、第１の有彩色と比べて緑色寄りのシアン色を有した光を含む。
【０１０５】
また、反射面２１ｓの中で、第２反射面２１ｂは、ランダムに配置されているため、反射面２１ｓから射出される第２青色光ＤＬｂ２、および、第２緑色光ＤＬｇ２の各々には、反射面２１ｓの上に位置するＸＺ平面、および、ＹＺ平面の両方に射出される光が含まれる。なお、図９では、図８と同様、図示の便宜上から、ＸＺ平面、および、ＹＺ平面の各々に向けて射出される光のみが図示されているが、ＸＺ平面とＹＺ平面とによって挟まれる空間にも、反射面２１ｓから光が射出される。
【０１０６】
そのため、図１０が示すように、反射面２１ｓに照明光ＩＬが入射したときには、第１反射面間距離ＤＲ１に基づいて、第１青色光ＤＬｂ１と第１緑色光ＤＬｇ１が射出され、かつ、第２反射面間距離ＤＲ２に基づいて、第２青色光ＤＬｂ２と第２緑色光ＤＬｇ２とが射出される。これにより、第１青色光ＤＬｂ１と第１緑色光ＤＬｇ１との混合による第１の有彩色を有した光と、第２青色光ＤＬｂ２と第２緑色光ＤＬｇ２との混合による第２の有彩色を有した光とが混ざった第３の有彩色を有した光が、反射面２１ｓから射出される。
【０１０７】
しかも、反射面２１ｓの中で、矩形面２１ｒがランダムに配置されているため、第３の有彩色を有した光は、ＸＺ平面とＹＺ平面との各々、および、ＸＺ平面とＹＺ平面とに挟まれる空間に射出される。
【０１０８】
なお、図８から図１０では、照明光ＩＬが表示部１２ｐにおける所定の点に入射した状態が図示されているが、実際には、光源ＬＳは所定の面積に対して光を放射するため、照明光ＩＬは、表示部１２ｐに対して、点状ではなく面状に入射する。それゆえに、定点において観察者が観察する光は、所定の範囲に含まれる複数の波長の光が合わさった光になる。
【０１０９】
このように、表示部１２ｐにおいて、第１反射面間距離ＤＲ１と第２反射面間距離ＤＲ２とが互いに異なることから、上述した式（２）から明らかなように、第１反射面間距離ＤＲ１に基づき回折効率が低められる光の波長は、第２反射面間距離ＤＲ２に基づき回折効率が低められる光の波長と互いに異なる。これにより、反射面２１ｓは、第１反射面間距離ＤＲ１に基づく第１の有彩色を有した光と、第２反射面間距離ＤＲ２に基づく第２の有彩色を有した光とを射出することが可能である。
【０１１０】
そして、第１の有彩色を有した光と第２の有彩色を有した光とは、表示部１２ｐにおいて混合された状態で射出されるため、表示部１２ｐは、２つの色が加法混色された色である第３の有彩色の光を射出することができる。第３の有彩色は、加法混色によって生じる色であるため、第１の有彩色および第２の有彩色よりも彩度が低められたいわゆるパステルカラーである。加法混色によって生じる色を有した光は、第１反射面２１ａと第３反射面２１ｃとのみを有する構成、および、第２反射面２１ｂと第３反射面２１ｃとのみを有する構成、および、レリーフ型の回折格子によっては射出することができない光である。
【０１１１】
結果として、表示体１０によれば、表示体１０から射出された光によって形成される像の色として、上述した各構成では表示することのできない色が得られるため、表示体１０の表示する像における色の多様性を高めることができる。
【０１１２】
なお、表示部１２ｐの射出する光の色である表示色は、表示部１２ｐの射出する回折光が到達しない位置に観察者が位置するときには、観察者によって観察されない。そのため、染料や顔料によって形成された印刷物とは異なり、表示部１２ｐによれば、光源や観察者の位置によって、観察者が表示色を視認できる状態と、視認できない状態との２つの状態を実現することができる。
【０１１３】
すなわち、表示部１２ｐを観察する条件には、表示部１２ｐの射出する光を観察することが可能な条件と、表示部の射出する光を観察することが不可能な条件とが含まれる。
【０１１４】
このうち、観察することが可能な条件には、例えば、室内において、蛍光灯などの光源ＬＳからの光が、表示体１０の反射面２１ｓに対して、略垂直な方向から入射し、観察者が目視によって表示体１０の表示部から射出された光を観察することができる状態が含まれる。また、観察することが可能な条件には、室外において、太陽光などの光が、反射面２１ｓに対して、略垂直な方向から入射し、観察者が目視によって表示部１２ｐから射出された光を観察することができる状態が含まれる。
【０１１５】
一方で、観察することが不可能な条件には、例えば、光源ＬＳからの光が、反射面２１ｓに対して、略水平な方向から入射し、表示部１２ｐから光がほとんど射出されない状態を含む。また、観察することが不可能な条件には、反射面２１ｓから回折光が射出されてはいるものの、観察者が、回折光が到達しないような角度から表示体１０を目視した状態を含む。
【０１１６】
これに対して、図１１が示すように、複数の格子線ＧＬを備える回折格子ＧＲであって、各格子線ＧＬがＹ方向に沿って延び、かつ、複数の格子線ＧＬがＸ方向に沿って規則的に配置された回折格子ＧＲは、以下のように回折光を射出する。すなわち、回折格子ＧＲは、回折格子ＧＲに光源ＬＳの放射した照明光ＩＬが入射したときに、ＸＺ平面に対して、格子線ＧＬの延びる方向であるＹ方向と直交するＸ方向に沿って、赤色を有する回折光ＤＬｒ、緑色を有する回折光ＤＬｇ、および、青色を有する回折光ＤＬｂを互いに異なる射出角で射出する。
【０１１７】
なお、上述した表示体１０、および、回折格子ＧＲに入射した光は、所定の方向に回折光を射出光として射出する一方で、入射光の入射角方向に対して正反射の方向に正反射光、すなわち鏡面反射光を射出する。正反射光は、表示体１０および回折格子ＧＲの各々が有する微細な構造の形状に影響されずに、表示体１０および回折格子ＧＲの各々から射出される光である。また、一般に、観察者が反射層２１を備える表示体１０を観察するときには、正反射光は光量が大きいために、観察者は正反射光を眩しく感じるため、観察者は、正反射光が自身の目に到達しないように表示体１０を観察する。そのため、先に参照した図７から図１１では、図示の便宜上から、正反射光の図示を省略している。
【０１１８】
［物品の構成］
図１２および図１３を参照して、上述した表示体１０を備える物品の一例であるＩＣカードの構成を説明する。上述した表示体１０において、表示部は、インキなどを用いた印刷、および、上述した反射面２１ｓ以外の構造では表示することができない固有の色を有した像を表示することができる。そのため、表示体１０の表示する像を高い精度で再現することは難しいことから、表示体１０の偽造が難しい。それゆえに、物品が表示体１０を備えていれば、表示体１０を含めた物品の偽造も難しいため、表示体１０は、物品の偽造を抑える目的で用いることができる。
【０１１９】
図１２が示すように、ＩＣ（ｉｎｔｅｇｒａｔｅｄ  ｃｉｒｃｕｉｔ）カード３０は、板形状を有するカード基材３１であって、例えば、プラスチックから形成されたカード基材３１、所定の画像が印刷された印刷層３２、ＩＣチップ３３、および、表示体１０を備えている。
【０１２０】
図１３が示すように、印刷層３２は、カード基材３１の上に形成され、印刷層３２の有する面のうち、カード基材３１に接する面とは反対側の面である表示面には、上述した表示体１０が、例えば粘着層を用いて固定されている。表示体１０は、例えば、粘着層を有したステッカ、または、転写箔として準備されて、支持部の一例である印刷層３２に貼りつけられる。
【０１２１】
印刷層３２には、例えば、文字、数字、および、記号などの少なくとも１つから構成される情報、および、意匠性を有する絵柄などが形成されている。なお、印刷層３２は、カード基材３１の上だけでなく、表示体１０の中で、印刷層３２に接する面とは反対側の面である表面に形成されていてもよい。
【０１２２】
また、表示体１０は、カード基材３１に貼り付けられていてもよく、表示体１０がカード基材３１に貼り付けられた構成では、印刷層３２が、カード基材３１のうち、表示体１０に覆われていない部分と、表示体１０のうち、カード基材３１に接する面とは反対側の面である表面とに形成されていてもよい。こうした構成では、カード基材３１が支持部の一例である。
【０１２３】
印刷層３２の形成材料は、顔料や染料などを含むインキ、あるいは、トナーなどである。印刷層３２に用いられるインキおよびトナーは、表示体１０の表示部が有する光学的な機能を発現することができない。すなわち、インキやトナーから形成された印刷物において、印刷物を観察する条件が変わっても、印刷物の色や輝度がほとんど変わらない。言い換えれば、印刷物の表示する像は、印刷物を観察する条件が変わってもほとんど変わらない。
【０１２４】
そのため、表示体１０を備えるＩＣカード３０によれば、ＩＣカード３０が、互いに異なる複数の観察条件の下で観察されたとき、印刷層３２の表示する像が複数の観察条件の間でほとんど変わらない一方で、表示体１０の表示する像が複数の観察条件の間で変わる。それゆえに、ＩＣカード３０が互いに異なる複数の観察条件の下で観察されたときに、印刷層３２と表示体１０とが対比されることによって、印刷層３２に対する表示体１０の光学的な機能の違いが明確になる。結果として、表示体１０を用いたＩＣカード３０の真贋の判断をより明確に行うことができる。
【０１２５】
特に、印刷層３２が表示する像の色と、特定の観察条件において表示体１０が表示する像の輝度とが略等しいことが好ましい。こうした構成では、相互に異なる複数の観察条件の下でＩＣカード３０が観察されたとき、表示体１０が表示する像における輝度の変化と、印刷層３２の表示する像の輝度における変化との間の違いが、より視認されやすくなる。それゆえに、こうした印刷層３２と表示体１０とによれば、偽造を防止する効果がより高まる。
【０１２６】
印刷層３２の形成材料は、印刷層３２を観察する条件が変わることによって、印刷層３２の視覚効果が変わる機能性インキであって、印刷層３２を観察する条件が変わることによって、印刷層３２の表示する像が変わる機能性インキであってもよい。機能性インキは、例えば、蓄光インキ、液晶、および、可視光が照射されている状態では不可視である一方で、紫外線や赤外線などが照射されることによって可視化されるインキなどである。紫外線や赤外線が照射されることによって可視化されるインキによれば、可視光が照射されているときには、インキによって形成された情報が観察者に対して隠蔽される。一方で、紫外線や赤外線が情報に照射されたときには、情報が観察者に向けて再生される。
【０１２７】
これらの機能性インキから形成された印刷層３２は、印刷層３２の観察される条件が変わることによって視覚効果が変わる一方で、表示部とは異なる視覚効果を有している。そのため、機能性インキによって形成された印刷層３２と表示体１０とを組み合わせることによって、偽造を防止する効果がより高まる。
【０１２８】
また、印刷層３２は、レーザー光線や紫外線、熱、および、圧力などのエネルギーが与えられることによって、エネルギーが与えられる前の色とは異なる色に変わる層であってもよい。
【０１２９】
カード基材３１のうち、印刷層３２と接する面に、印刷層３２と接する面とは反対側の面に向けて窪む凹部３１ａが形成され、印刷層３２には、ＩＣカード３０の厚さ方向において、凹部３１ａと重なる位置に貫通孔３２ａが形成されている。ＩＣチップ３３は、凹部３１ａおよび貫通孔３２ａに嵌め込まれ、ＩＣチップ３３は、ＩＣチップ３３の中で印刷層３２に囲まれる面である表面に、複数の電極を備えている。ＩＣチップ３３において、ＩＣチップ３３への情報の書き込み、および、ＩＣチップ３３に記録された情報の読み出しが、複数の電極を介して行われる。
【０１３０】
ＩＣカード３０は、偽造の難しい表示体１０を備えているため、ＩＣカード３０の偽造も難しい。しかも、ＩＣカード３０は、表示体１０に加えて、ＩＣチップ３３および印刷層３２を備えているため、ＩＣチップ３３によって電子データを用いた偽造の防止が可能であるとともに、表示体１０および印刷層３２によって、視覚効果を用いた偽造の防止が可能である。
【０１３１】
［表示体の製造方法］
表示体１０の製造方法を説明する。
表示体１０を製造する際には、まず、支持層２２として光透過性を有する樹脂製のシートまたはフィルムを準備する。支持層２２の形成材料は、例えば、ポリエチレンテレフタレート（ＰＥＴ）、および、ポリカーボネート（ＰＣ）などであればよい。支持層２２の１つの面に、熱可塑性樹脂、熱硬化製樹脂、および、光硬化性樹脂などの光透過性を有する合成樹脂を塗布して塗膜を形成し、形成した塗膜に金属製のスタンパを密着させた状態で、樹脂を硬化させる。なお、塗膜の形成材料が熱硬化性樹脂であるときには、塗膜に熱を与えることで樹脂を硬化させ、塗膜の形成材料が光硬化性樹脂であるときには、光を照射することで樹脂を硬化させる。
【０１３２】
硬化後の塗膜から金属製スタンパを剥離することによって、被覆面２３ｓを有する凹凸層２３が得られる。なお、支持層２２と凹凸層２３とは密着しているため、支持層２２の形成材料と、凹凸層２３の形成材料とが同じであるとき、支持層２２と凹凸層２３との境界が存在しない。それゆえに、支持層２２と凹凸層２３とを単一の層から形成された基材１１であると見なすことができる。
【０１３３】
次いで、基材１１の被覆面２３ｓの形状に追従するように反射層２１を被覆面２３ｓの上に形成する。反射層２１の形成方法は、例えば、真空蒸着法、および、スパッタリング法などの気相堆積法であればよい。
【０１３４】
反射層２１において、以下の場合には、干渉によって光が弱め合う効果が低くなる。すなわち、反射層２１のうち、第１被覆面２３ａの上に形成された部分、第２被覆面２３ｂの上に形成された部分、および、第３被覆面２３ｃの上に形成された部分の各々の平坦性が低い場合である。また、第１被覆面２３ａ上に形成された部分の厚さ、第２被覆面２３ｂの上に形成された部分の厚さ、および、第３被覆面２３ｃの上に形成された部分の厚さの各々が偏りを有する場合である。
【０１３５】
これらの場合には、回折効率が低下する光の波長の範囲が大きくなるために、表示体１０の射出する光における波長の分布と、入射した白色光における波長の分布との差が小さくなる。結果として、表示体１０が射出する光の色における彩度が低くなり、射出する光の色が白色に近くなってしまう。
【０１３６】
それゆえに、反射層２１は、第１被覆面２３ａ、第２被覆面２３ｂ、および、第３被覆面２３ｃの各々の平坦性に倣い、各第１反射面２１ａ、各第２反射面２１ｂ、および、第３被覆面２３ｃが互いに略平行に保たれるように形成されることが好ましい。
【０１３７】
反射層２１は、金属層および誘電体層のいずれかであればよい。反射層２１が金属層であるとき、反射層２１の形成材料は、例えば、アルミニウム、銀、金、および、これら金属の合金などであればよい。反射層２１が誘電体層であるとき、反射層２１の形成材料は、硫化亜鉛（ＺｎＳ）、および、酸化チタン（ＴｉＯ２）などであればよい。
【０１３８】
なお、反射層２１が誘電体層であるときには、反射層２１は単層構造を有してもよいし、多層構造であって、互いに隣り合う層の間において屈折率が異なる多層構造を有していてもよい。
【０１３９】
反射層２１の厚さは、３０ｎｍ以上１５０ｎｍ以下であることが好ましく、３０ｎｍ以上７０ｎｍ以下であることがより好ましく、５０ｎｍであることがさらに好ましい。反射層２１は、気相堆積法によって薄膜状に形成することが可能である。ただし、反射層２１の形成材料が上述した金属であるとき、反射層２１の表面には、粒状を有した構造体が形成されやすい。粒状を有した構造体の大きさは、反射層２１の厚さが大きくなるほど大きくなりやすいため、反射層２１の平坦性を高める上では、反射層２１の厚さが小さいことが好ましい。一方で、反射層２１の厚さが小さすぎると、反射層２１が、光を反射する機能を十分に有しない。
【０１４０】
本願発明者らは、反射層２１の厚さと反射層２１の機能との関係を鋭意研究する中で、反射層２１が所望の平坦性を有し、かつ、光を反射する機能を十分に有する上では、反射層２１の厚さが、３０ｎｍ以上１５０ｎｍ以下であることが好ましいことを見出した。
【０１４１】
反射層２１は、上述したように、基材１１における被覆面２３ｓの全体を覆っていてもよいし、被覆面２３ｓの一部のみを覆っていてもよい。すなわち、反射層２１は、被覆面２３ｓを部分的に覆っていてもよい。反射層２１が被覆面２３ｓを部分的に覆っている構成では、反射層２１は、被覆面２３ｓのうち、反射層２１が形成された部分と、反射層２１が形成されていない部分とによって、絵柄、文字、および、記号などの画像を形成してもよい。
【０１４２】
被覆面２３ｓを部分的に覆う反射層２１は、例えば、気相堆積法により被覆面２３ｓの全体に反射層２１を形成した後に、薬品などを用いて反射層２１の一部を溶解させることによって形成することができる。あるいは、被覆面２３ｓを部分的に覆う反射層２１は、被覆面２３ｓの全体に反射層２１を形成した後に、反射層２１に対する密着力が、凹凸層２３よりも高い接着材料を用いて、反射層２１の一部を凹凸層２３から剥離することによって形成することもできる。またあるいは、被覆面２３ｓを部分的に覆う反射層２１は、マスクを用いた気相堆積法、および、リフトオフ法などを用いて形成することもできる。
【０１４３】
なお、表示体１０は、他の機能層、例えば、表示体１０の表面を保護する保護層、および、表示体１０の表面を覆って、表示体１０において所定の菌が増殖することを抑える抗菌コート層などを更に含んでいてもよい。
【０１４４】
［原版の製造方法］
図１４および図１５を参照して、表示体１０の製造に用いられる原版の製造方法を説明する。なお、原版は、上述した金属製のスタンパの型として用いられる。
図１４が示すように、原版の製造方法は、基板の１つの面にレジスト層を形成する工程（ステップＳ１１）、レジスト層を露光する工程（ステップＳ１２）、および、露光されたレジスト層を現像して、レジスト層に転写面を形成する工程（ステップＳ１３）を含んでいる。すなわち、原版の製造方法は、レジスト層形成工程と、露光工程と、現像工程とを含んでいる。
【０１４５】
レジスト層形成工程では、例えば、板形状を有するガラス基板を準備し、ガラス基板の１つの面にレジストを塗布して、レジスト層を形成する。レジストは、電子線レジストであってもよいし、フォトレジストであってもよい。レジストは、ポジ型のレジストであって、レジストのうち、露光された部分において、露光されていない部分よりも現像液に対する溶解性が高まる。そのため、現像工程では、レジストのうち、露光された部分が、露光されていない部分から取り除かれる。
【０１４６】
露光工程では、原版において、表示体１０の第１反射面２１ａに対応する部分、第２反射面２１ｂに対応する部分、および、第３反射面２１ｃに対応する部分を区画するための露光が行われる。レジスト層の形成材料が電子線レジストであるとき、レジスト層に対して電子線を照射して、レジスト層を露光する。一方で、レジスト層の形成材料がフォトレジストであるとき、レジスト層に紫外の波長を有するレーザー光線を照射して、レジスト層を露光する。
【０１４７】
露光工程では、ＸＹステージであって、１つの方向であるＸ方向と、Ｘ方向と直交するＹ方向とに沿って二次元的に位置を変えることができるステージ上にガラス基板を載置する。そして、ＸＹステージの移動を制御する制御装置を用いてステージを移動させながら、レジスト層に電子線あるいはレーザー光線を照射することによって、レジスト層をパターン露光する。
【０１４８】
なお、レジストが電子線レジストであるとき、電子線レジストに対する電子線の照射には、可変成形ビーム露光方式、言い換えれば矩形ビーム露光方式を用いることが好ましい。可変成形ビーム露光方式では、電子銃から照射される電子線に、電子線の照射方向から見て矩形の開口部である成形アパーチャーを通過させて、電子線の照射方向と直交する電子線の断面形状を矩形に変えた状態で、レジスト層の表面に電子線を照射する。
【０１４９】
ここで、電子線に成形アパーチャーを通過させずに、電子線をレジスト層に照射するスポットビーム露光方式によれば、可変成形ビーム露光方式と比べて、露光するパターンの自由度は高まるが、可変成形ビーム露光方式よりも１回あたりの照射面積が小さいため、描画にかかる時間が長くなる。一方で、可変成形ビーム露光方式によれば、スポットビーム方式よりも１回あたりの照射面積を大きくでき、かつ、１回あたりの照射面積が可変であることから描画にかかる時間を短くすることができる。
【０１５０】
可変成形ビーム露光方式では、レジスト層のうち、表示部における１つの第１被覆面２３ａに対応する部分の各々、および、１つの第２被覆面２３ｂに対応する部分の各々が、１回の露光で描画されることが好ましい。これにより、１つの第１被覆面２３ａに対応する部分の全体、および、１つの第２被覆面２３ｂに対応する部分において、露光の条件が同じになる。そのため、１つの第１被覆面２３ａに対応する部分、および、１つの第２被覆面２３ｂに対応する部分が、複数回の露光で描画される場合と比べて、第１被覆面２３ａの平坦性、および、第２被覆面２３ｂの平坦性を高めることができる。
【０１５１】
また、１つの第１被覆面２３ａに対応する部分の各々が１回の露光で描画されることにより、複数の第１被覆面２３ａの各々に対応する部分の間において、露光の条件が略同じになる。そのため、複数の第１被覆面２３ａの各々に対応する部分の間では、レジスト層の厚さ方向において、レジストを分解させるエネルギーを電子線から得られる距離が互いに略等しくなる。なお、１つの第２被覆面２３ｂに対応する部分も１回の露光で描画される。そのため、複数の第２被覆面２３ｂの各々に対応する部分の間では、複数の第１被覆面２３ａの各々に対応する部分の間と同様、レジスト層の厚さ方向において、レジストを分解させるエネルギーを電子線から得られる距離が互いに等しくなる。
【０１５２】
上述したように、第１反射面２１ａの第１長さＬ１は、第２反射面２１ｂの第２長さＬ２よりも小さく、第１反射面２１ａの面積は、第２反射面２１ｂの面積よりも小さい。そして、第１反射面２１ａの第１長さＬ１、および、第２反射面２１ｂの第２長さＬ２の各々は、０．３μｍ以上２μｍ以下である。加えて、基材１１の厚さ方向において、第１反射面間距離ＤＲ１は、第２反射面間距離ＤＲ２よりも小さい。
【０１５３】
ここで、電子線によるレジスト層の露光では、電子線によって与えられるエネルギー量が同じであっても、電子線の照射される面積が大きいほど、レジスト層の厚さ方向において、レジストを分解させるエネルギーを電子線から得られる距離が大きくなる。
【０１５４】
表示体１０においては、第３反射面２１ｃとの間の距離が小さい第１反射面２１ａの面積が、第２反射面２１ｂの面積よりも小さい。そのため、レジスト層のうち、第１反射面２１ａに対応する部分に対して与えられるエネルギー量が、第２反射面２１ｂに対応する部分に対して与えられるエネルギー量と同じであっても、レジストを分解させるエネルギーを電子線から得られる距離が以下のようになる。すなわち、第１反射面２１ａに対応する部分において、レジストを分解させるエネルギーを電子線から得られる距離が、第２反射面２１ｂに対応する部分において、レジストを分解させるエネルギーを電子線から得られる距離よりも小さくなる。
【０１５５】
表示体１０の備える各矩形面２１ｒが、他の残りの矩形面２１ｒと接する構成では、レジスト層の露光工程において、一つの照射領域と、一つの照射領域と接する他の照射領域とに電子線の照射が行われる。そのため、一つの照射領域に照射された電子線が、他の照射領域にも散乱することで、２つの照射領域の境界において、電子線の照射によって与えられたエネルギー量が過剰になる。結果として、２つの照射領域の境界において、現像後における形状の精度が低くなる。
【０１５６】
それゆえに、表示体１０において、各表示部に含まれる各矩形面２１ｒが他の残りの矩形面２１ｒから離れていることが好ましい。また、複数の表示部において、各表示部に含まれる矩形面２１ｒと、各表示部と隣り合う他の表示部に含まれる矩形面２１ｒとの間にも、隙間が形成されていることが好ましい。
【０１５７】
現像工程では、電子線またはレーザー光線が照射されたレジスト層を現像する。これにより、レジスト層のうち、電子線またはレーザー光線が照射された部分が、電子線またはレーザー光線が照射されていない部分から取り除かれることで、レジスト層の表面に凹凸面である転写面が形成される。
【０１５８】
すなわち、図１５が示すように、原版４０は、ガラス基板４１と、レジスト層４２とを備えている。レジスト層４２は、ガラス基板４１に接する面とは反対側の面である転写面４２ｓを有している。転写面４２ｓは、複数の第１転写面４２ａ、複数の第２転写面４２ｂ、および、第３転写面４２ｃを含んでいる。
【０１５９】
転写面４２ｓの転写によって、表示体１０の被覆面２３ｓが形成される。被覆面２３ｓのうち、第１転写面４２ａの転写によって第１被覆面２３ａが形成され、第２転写面４２ｂの転写によって第２被覆面２３ｂが形成され、第３転写面４２ｃの転写によって第３被覆面２３ｃが形成される。
【０１６０】
転写面４２ｓと対向する平面視において、各第１転写面４２ａおよび各第２転写面４２ｂは略正方形状を有した矩形転写面４２ｒであり、互いに隣り合う矩形転写面４２ｒの隙間が、第３転写面４２ｃによって埋められている。
【０１６１】
原版４０において、第１転写面４２ａと第３転写面４２ｃとの間の距離は、第１被覆面間距離ＤＣ１に等しく、第２転写面４２ｂと第３転写面４２ｃとの間の距離は、第２被覆面間距離ＤＣ２に等しい。
【０１６２】
すなわち、第１転写面４２ａと第３転写面４２ｃとの間の距離は、表示体１０の第１被覆面２３ａの上に形成された第１反射面２１ａにおいて反射された光と、第３被覆面２３ｃの上に形成された第３反射面２１ｃにおいて反射された光との干渉によって、第１の有彩色の光を射出する距離である。
【０１６３】
また、第２転写面４２ｂと第３転写面４２ｃとの間の距離は、表示体１０の第２被覆面２３ｂの上に形成された第２反射面２１ｂにおいて反射された光と、第３被覆面２３ｃの上に形成された第３反射面２１ｃにおいて反射された光との干渉によって、第２の有彩色の光を射出する距離である。
これにより、転写面４２ｓは、反射面２１ｓが第１の有彩色の光と第２の有彩色の光とを含む第３の有彩色の光を射出するように構成されている。
【０１６４】
そして、上述した方法によって得られた原版４０に対して、電鋳およびめっきなどを行うことによって、原版４０の転写面４２ｓが転写された凹凸面を有する金属製のスタンパを得ることができる。
【０１６５】
以上説明したように、表示体、物品、原版、および、原版の製造方法における第１実施形態によれば、以下に列挙する効果を得ることができる。
（１）表示体１０に対して白色光が入射すると、第１反射面間距離ＤＲ１によって決められる第１の有彩色を有した光と、第２反射面間距離ＤＲ２によって決められる有彩色であって、第１の有彩色とは異なる第２の有彩色を有した光が射出される。そして、表示体１０は、第１の有彩色と第２の有彩色とを含む第３の有彩色の光を射出するため、第３の有彩色の光は、２つの有彩色が加法混色された色である。それゆえに、第３の有彩色は、第１の有彩色および第２の有彩色の各々と比べて、彩度が低い色になる。結果として、第１反射面２１ａと第３反射面２１ｃとのみを備える構成、および、第２反射面２１ｂと第３反射面２１ｃとのみを備える構成では表示することのできない色が得られるため、表示体１０の表示する像の色における多様性を高めることができる。
【０１６６】
（２）第１長さＬ１と第２長さＬ２とが互いに異なるため、各反射面が占有する面積や、各反射面の配置に関する設計の自由度が高められる。
（３）反射面２１ｓの中で、矩形面２１ｒがランダムに配置されているため、反射面２１ｓから光が射出される方向に偏りが生じにくくなる。それゆえに、所定の方向に対して光が射出される構成と比べて、反射面２１ｓから射出された光が視認される領域が拡がる。
【０１６７】
（４）複数の矩形面２１ｒが反射層の表面の全体に対して占有する面積が５０％であるとき、反射層２１から射出される有彩色を有する光の光量を最大にすることができる。また、複数の矩形面２１ｒが反射面２１ｓの全体に対して占有する面積が１５％以上であるとき、観察者が有彩色を有する光を視認することができる程度に十分な光量の光が、反射層２１から射出される。
【０１６８】
（５）第３単位面積Ｓ３に対する第１単位面積Ｓ１の比が７０％以上であるため、表示体が射出する光において、第１の有彩色を有する光の光量が支配的になる。すなわち、表示体１０が表示する像の色において、第１の有彩色が支配的になり、第２の有彩色は、第１の有彩色を修飾する付加的な色になる。それゆえに、表示体１０が表示する像の色における色相を第１の有彩色の色相から大きく変えることなく、像の色における彩度を制御することが可能である。
【０１６９】
（６）第３反射面間距離ＤＲ３が０．０２μｍ以上０．１μｍ以下であるとき、第３反射面間距離ＤＲ３は、第１の有彩色と第２の有彩色との間において、色相が大きく変わらない程度に小さい。一方で、表示体が、第１の有彩色と第２の有彩色との混色によって、第１反射面２１ａと第３反射面２１ｃとのみを備える構成、または、第２反射面２１ｂと第３反射面２１ｃとのみを備える構成によっては実現することができない中間色を有する光を表示体１０が射出することができる。
【０１７０】
（７）第３反射面間距離ＤＲ３が０．２μｍ以上０．４５μｍ以下であるとき、第３反射面間距離ＤＲ３は、第１の有彩色と第２の有彩色との間において、色相が大きく異なる程度に大きい。そのため、上記構成によれば、色相が互いに異なる２つの色を混色することで、表示体１０が、第１反射面２１ａと第３反射面２１ｃとのみを備える構成、または、第２反射面２１ｂと第３反射面２１ｃとのみを備える構成によっては実現することができない中間色を有する光を表示体が射出することができる。
【０１７１】
［第１実施形態の変形例］
なお、上述した第１実施形態は、以下のように適宜変更して実施することができる。
・物品は、ＩＣカードに限らず、例えば、磁気カード、無線カード、および、ＩＤ（ｉｄｅｎｔｉｆｉｃａｔｉｏｎ）カードなどの他のカードであってもよい。あるいは、物品は、紙幣および商品券などの有価証券であってもよいし、美術品などの高級品であってもよい。またあるいは、物品は、真正品であることが確認されるべき品物に取り付けられるタグであってもよいし、真正品であることが確認されるべき品物を収容する包装体、または、包装体の一部であってもよい。
【０１７２】
・表示体において、反射層２１の反射面２１ｓは、上述した表示部に加えて、表示部とは異なる光学的な機能を有する領域である異機能部を含んでいてもよい。そして、異機能部には、反射面２１ｓに入射した光を回折する回折部、反射面２１ｓに入射した光の反射を防止する反射防止部、および、反射面２１ｓに入射した光を散乱させる光散乱部の少なくとも１つが形成されていればよい。
【０１７３】
このうち、回折部は、例えば、図１１を参照して先に説明した回折格子であり、反射面２１ｓに入射した光の回折によって、観察者が表示体を観察する条件に応じて虹色に色が変わる光を射出する。
【０１７４】
図１６が示すように、反射防止部５０は、可視光の波長以下の周期で並ぶ複数の微細な凸部５１を備え、複数の凸部５１が、複数の凸部５１に入射した光の反射による射出を低くする。これにより、反射防止部５０は、黒色を表示する。
【０１７５】
図１７が示すように、光散乱部６０は、例えば、表示体の反射面２１ｓと対向する方向から見た大きさ、および、表示体の厚さ方向における長さの少なくとも一方が互いに異なる複数の凸部６１を備えている。複数の凸部６１の各々は、表示体の厚さ方向における長さが、例えば、数μｍ以上である。光散乱部６０は、光散乱部６０に入射した光の乱反射によって、白色を有した光を射出する。
こうした構成によれば、以下の効果を得ることができる。
【０１７６】
（８）回折部、反射防止部５０、および、光散乱部６０の少なくとも１つが反射面２１ｓに形成されている分、表示体１０には、所定の有彩色を有した光を射出する以外の光学的な機能が付加される。そのため、反射面２１ｓが表示部のみを含む構成と比べて、表示体によって得られる光学的な機能がより複雑であり、結果として、表示体の偽造をより難しくすることができる。
【０１７７】
・第１の有彩色の光と第２の有彩色の光との混合によって、第３の有彩色の光が生じれば、第１反射面２１ａと第２反射面２１ｂとの間の距離は、０．２μｍよりも小さくてもよいし、０．４５μｍよりも大きくてもよい。
【０１７８】
・第１の有彩色の光と第２の有彩色の光との混合によって、第３の有彩色の光が生じれば、第１反射面２１ａと第２反射面２１ｂとの間の距離は、０．０２μｍよりも小さくてもよいし、０．１μｍよりも大きくてもよい。
【０１７９】
・第１表示領域１２を構成する複数の表示部１２ｐにおいて、各表示部１２ｐにおける第１単位面積Ｓ１は、他の残りの表示部１２ｐにおける第１単位面積Ｓ１と略等しいことが好ましい。一方で、第３単位面積Ｓ３に対する第２単位面積Ｓ２の比が第２反射面比であり、複数の表示部１２ｐの間において、各表示部１２ｐにおける第２反射面比には、１％以上３０％未満であって、かつ、互いに異なる複数の大きさが含まれてもよい。なお、複数の表示部１２ｐには、第３表示部の一例、および、第４表示部の一例が含まれる。
【０１８０】
こうした構成によれば、以下に記載の効果を得ることができる。
（９）複数の表示部１２ｐの間において、第１単位面積Ｓ１が互いに略等しいため、複数の表示部１２ｐの間において、各表示部１２ｐから射出される光の色がばらつくことが抑えられる。また、第１反射面比が７０％以上であるため、表示体１０が射出する光において、第１の有彩色を有する光の光量が支配的になる。すなわち、表示体１０が表示する像の色において、第１の有彩色が支配的になり、第２の有彩色は、第１の有彩色を修飾する付加的な色になる。
【０１８１】
一方で、複数の表示部１２ｐの間において、第２反射面比には、１％以上３０％未満の範囲から選択される複数の値が含まれ得る。そのため、表示体が表示する像の色における色相を第１の有彩色の色相から大きく変えることなく、像の色における彩度に多様性を持たせることができる。
【０１８２】
・また、複数の表示部１２ｐの間において、各表示部１２ｐにおける第２面積比には、１％以上３０％未満であって、かつ、互いに異なる複数の大きさが含まれる場合には、以下の構成であってもよい。すなわち、複数の表示部１２ｐのうち、互いに隣り合う表示部１２ｐの間において、第２反射面比が連続的に変わる構成であってもよい。
【０１８３】
例えば、複数の表示部１２ｐが、１つの方向である列方向と、列方向に直交する行方向との両方に沿って並ぶ構成であれば、列方向において互いに隣り合う表示部１２ｐの間において、第２反射面比が所定の割合ずつ連続的に変わる構成であってもよい。あるいは、行方向において互いに隣り合う表示部１２ｐの間において、第２反射面比が所定の割合ずつ連続的に変わる構成であってもよい。またあるいは、列方向において互いに隣り合う表示部１２ｐの間、および、行方向において互いに隣り合う表示部１２ｐの間において、第２反射面比が所定の割合ずつ連続的に変わる構成であってもよい。
【０１８４】
こうした構成によれば、第１表示領域１２が表示する像において、列方向および行方向の少なくとも一方に沿って、像の色における彩度を連続的に変えることができる。
【０１８５】
・矩形面比は、１５％よりも小さくてもよく、こうした構成であっても、反射面２１ｓが、第１の有彩色の光と第２の有彩色の光とから生じる第３の有彩色の光を射出することが可能であるため、上述した（１）に準じた効果を得ることはできる。
【０１８６】
・第１反射面比は、７０％よりも小さくてもよく、こうした構成であっても、反射面２１ｓが、第１の有彩色の光と第２の有彩色の光とから生じる第３の有彩色の光を射出することが可能であるため、上述した（１）に準じた効果を得ることはできる。
【０１８７】
・反射面２１ｓにおいて、全ての第１反射面２１ａの占有する面積が第１反射面積であり、全ての矩形面２１ｒの占有する面積が矩形面積である。このとき、複数の表示部１２ｐが、第１反射面比が１５％未満である表示部１２ｐを含む構成であっても、反射面２１ｓにおいて、矩形面積が、反射面２１ｓの全体が有する面積に対して１５％以上５０％以下である構成とすることは可能である。
【０１８８】
・複数の表示部１２ｐが、第１反射面比が７０％未満である表示部を含む表示部１２ｐを含む構成であっても、反射面２１ｓにおいて、第１反射面積が、矩形面積に対して７０％以上１００％未満である構成とすることは可能である。
・図１８は、図４と同様、反射面２１ｓと対向する平面視における表示部１２ｐの平面構造を示している。
【０１８９】
図１８が示すように、１つの表示部１２ｐにおいて、反射面２１ｓは、複数の第１反射面２１ａが位置する第１領域Ｒ１、複数の第２反射面２１ｂが位置する第２領域Ｒ２、および、複数の第１反射面２１ａと複数の第２反射面２１ｂとが位置する第３領域Ｒ３を含んでいてもよい。
【０１９０】
第３領域Ｒ３は、複数の第１反射面２１ａと複数の第２反射面２１ｂとが混在する領域であって、各第１反射面２１ａと、少なくとも１つの第２反射面２１ｂとが互いに隣り合い、かつ、各第２反射面２１ｂと、少なくとも１つの第１反射面２１ａとが互いに隣り合う領域である。
【０１９１】
こうした構成では、第１の有彩色の光と第２の有彩色の光との両方が、第３領域Ｒ３から射出されるため、第３領域Ｒ３においては、第１の有彩色の光と第２の有彩色の光とが、高い解像度で混合される。
【０１９２】
なお、１つの表示部１２ｐの中で、第１領域Ｒ１と第２領域Ｒ２とは第３領域Ｒ３によって隔てられている。しかしながら、表示部１２ｐは、表示部１２ｐ内で生じた第１の有彩色の光と第２の有彩色の光とが混合されて、第３の有彩色の光として射出されることが可能な大きさを有しているため、表示部１２ｐからは第３の有彩色の光が射出される。
【０１９３】
・第１表示領域１２を構成する複数の表示部１２ｐには、反射層２１が、第１の有彩色の光と第２の有彩色の光とから生じる第３の有彩色の光を射出することが可能であれば、第１反射面２１ａを含む一方で第２反射面２１ｂを含まない表示部１２ｐが含まれてもよい。あるいは、複数の表示部１２ｐには、第２反射面２１ｂを含む一方で第１反射面２１ａを含まない表示部１２ｐが含まれてもよい。こうした構成であっても、複数の表示部１２ｐを含む反射層２１が、第３の有彩色の光を射出することが可能であれば、上述した（１）に準じた効果を得ることはできる。
【０１９４】
・図１９が示すように、各第１反射面２１ａの第１長さＬ１が各第２反射面２１ｂの第２長さＬ２よりも小さく、かつ、第１反射面間距離ＤＲ１が第２反射面間距離ＤＲ２よりも大きい構成であってもよい。
【０１９５】
第１反射面間距離ＤＲ１が大きいほど、第１反射面２１ａから射出された光と第３反射面２１ｃから射出された光との干渉による光の波長が大きくなり、また、第２反射面間距離ＤＲ２が大きいほど、第２反射面２１ｂから射出された光と第３反射面２１ｃから射出された光との干渉による光の波長が大きくなる。一方で、光の散乱角は、光の有する波長が小さいほど大きくなる。そのため、上述した構成によれば、以下に記載の効果を得ることができる。
【０１９６】
（１０）散乱角の小さい光の射出に寄与する第２反射面２１ｂの面積が、散乱角の大きい光の射出に寄与する第１反射面２１ａの面積よりも大きい。そのため、反射面２１ｓと対向する平面視において、散乱角の小さい光が射出される面積が大きくなりやすい。それゆえに、第１反射面２１ａと第３反射面２１ｃとによって生じる光と、第２反射面２１ｂと第３反射面２１ｃとによって生じる光とが、混合されやすくなる。
【０１９７】
・第１反射面２１ａの第１長さＬ１には、互いに異なる複数の大きさが含まれてもよいし、第２反射面２１ｂの第２長さＬ２には、互いに異なる複数の大きさが含まれてもよい。こうした構成であっても、各第１反射面２１ａにおける第１反射面間距離ＤＲ１が他の残りの第１反射面２１ａにおける第１反射面間距離ＤＲ１と略等しければ、反射面２１ｓは、第１の有彩色を有する光を射出することは可能である。また、各第２反射面２１ｂにおける第２反射面間距離ＤＲ２が他の残りの第２反射面２１ｂにおける第２反射面間距離ＤＲ２と略等しければ、反射面２１ｓは、第２の有彩色を有する光を射出することは可能である。それゆえに、反射面２１ｓは、第３の有彩色を有する光を射出することができる。
【０１９８】
・反射面２１ｓと対向する平面視において、互いに隣り合う一方の矩形面２１ｒの一部が、他方の矩形面２１ｒの一部に重なっていてもよい。こうした構成であっても、反射面２１ｓが第３の有彩色を有した光を射出することは可能であるため、上述した（１）に準じた効果を得ることはできる。なお、こうした構成であれば、表示部１２ｐにおける第１反射面比を５０％よりも大きい値とすることが可能である。
【０１９９】
・各表示部１２ｐにおける第１反射面間距離ＤＲ１および第２反射面間距離ＤＲ２が、他の残りの表示部１２ｐにおける第１反射面間距離ＤＲ１および第２反射面間距離ＤＲ２と等しくなくてもよい。
【０２００】
すなわち、図２０が示すように、１つの表示部１２ｐ１における第１反射面間距離ＤＲ１が、他の表示部１２ｐ２における第１反射面間距離ＤＲ１と異なり、かつ、表示部１２ｐ１における第２反射面間距離ＤＲ２が、表示部１２ｐ２における第２反射面間距離ＤＲ２と互いに異なっていてもよい。
【０２０１】
例えば、図２０が示す例では、表示部１２ｐ１における第１反射面間距離ＤＲ１が、表示部１２ｐ２における第１反射面間距離ＤＲ１よりも小さく、かつ、表示部１２ｐ１における第２反射面間距離ＤＲ２が、表示部１２ｐ２における第２反射面間距離ＤＲ２よりも小さい。そのため、表示部１２ｐ１から射出される第３の有彩色を有した光は、表示部１２ｐ２から射出される第３の有彩色を有した光とは異なる色の光である。
【０２０２】
なお、複数の表示部１２ｐにおいて、１つの表示部１２ｐ１における第１反射面間距離ＤＲ１のみが、他の表示部１２ｐ２における第１反射面間距離ＤＲ１と互いに異なっていてもよい。あるいは、複数の表示部１２ｐにおいて、１つの表示部１２ｐ１における第２反射面間距離ＤＲ２のみが、他の表示部１２ｐ２における第２反射面間距離ＤＲ２と互いに異なっていてもよい。これらの構成においても、表示部１２ｐ１から射出される第３の有彩色を有した光は、表示部１２ｐ２から射出される第３の有彩色を有した光とは異なる色の光である。
【０２０３】
・各表示領域から射出される光の色は、他の残りの表示領域から射出される光の色と互いに同じであってもよい。すなわち、各表示領域における第１反射面間距離ＤＲ１は、他の残りの表示領域における第１反射面間距離ＤＲ１と互いに等しく、かつ、各表示領域における第２反射面間距離ＤＲ２は、他の残りの表示領域における第２反射面間距離ＤＲ２と互いに等しくてもよい。
【０２０４】
あるいは、各表示領域から射出される光の色は、他の残りの表示領域から射出される光の色と互いに異なっていてもよい。すなわち、各表示領域における第１反射面間距離ＤＲ１が、他の残りの表示領域における第１反射面間距離ＤＲ１と互いに異なること、および、各表示領域における第２反射面間距離ＤＲ２が他の表示領域における第２反射面間距離ＤＲ２と互いに異なることの少なくとも一方が満たされていてもよい。
【０２０５】
またあるいは、表示体１０には、複数の表示領域群が含まれてもよく、各表示領域群には、少なくとも１つの表示領域が含まれる。そして、各表示領域群に含まれる表示領域が１つの色の光を射出する一方で、各表示領域群に含まれる表示領域が射出する光の色は、他の残りの表示領域群に含まれる表示領域が射出する光の色と互いに異なっていてもよい。
【０２０６】
・表示体は、上述した偽造を防止する目的だけでなく、物品を装飾する目的で用いられてもよいし、表示体そのものが観察の対象であってもよい。表示体そのものが観察の対象であるときには、表示体は、例えば、玩具および学習教材などとして用いることができる。
【０２０７】
［第２実施形態］
図２１から図２４を参照して、本発明の表示体、物品、原版、および、原版の製造方法を具体化した第２実施形態を説明する。第２実施形態は、第１実施形態と比べて、反射面２１ｓに含まれる複数の矩形面２１ｒの配置が異なる。そのため、以下では、表示体の構成において、第１実施形態との相違点を詳しく説明し、第１実施形態と共通する構成については、第１実施形態と同じ符号を付すことによって、その詳しい説明を省略する。
【０２０８】
［表示体の構成］
図２１から図２３を参照して、表示体１０の構成を説明する。
図２１は、第１表示領域１２の一部であって、第１表示領域１２を構成する複数の表示部１２ｐのうちの１つの一例を拡大して示している。図２１では、反射面２１ｓと対向する平面視における平面構造が示されている。
【０２０９】
図２１が示すように、反射面２１ｓと対向する平面視では、第１表示領域１２が備える１つの表示部１２ｐにおいて、各矩形面２１ｒは略正方形状を有し、互いに隣り合う矩形面２１ｒの隙間が第３反射面２１ｃによって埋められている。
【０２１０】
反射面２１ｓと対向する平面視において、複数の矩形面２１ｒは、各仮想線Ｌｖの上に複数ずつ位置している。すなわち、各仮想線Ｌｖには、複数の矩形面２１ｒが並んでいる。複数の仮想線Ｌｖの各々は、Ｘ方向と交差する第１延伸方向に沿って延び、かつ、複数の仮想線Ｌｖは、第１延伸方向と直交する方向である第１配列方向に沿って並んでいる。複数の仮想線Ｌｖは、肉眼で知覚することが可能な回折光の射出が抑えられるように第１配列方向に沿って配置されている。
【０２１１】
複数の仮想線Ｌｖの一部において、各仮想線Ｌｖの上に位置する全ての矩形面２１ｒが、第１反射面２１ａである。複数の仮想線Ｌｖの残りの部分において、各仮想線Ｌｖの上に位置する複数の矩形面２１ｒには、第１反射面２１ａと第２反射面２１ｂとが含まれている。
【０２１２】
なお、複数の仮想線Ｌｖには、各仮想線の上に位置する全ての矩形面２１ｒが、第２反射面２１ｂである仮想線Ｌｖが含まれていてもよい。また、複数の仮想線Ｌｖには、第１反射面２１ａと第２反射面２１ｂとが位置する仮想線Ｌｖが含まれていなくてもよい。すなわち、各仮想線Ｌｖの上には、複数の第１反射面２１ａのみ、あるいは、複数の第２反射面２１ｂのみが位置していてもよい。
【０２１３】
ただし、第１反射面間距離ＤＲ１に基づき射出される第１の有彩色の光と、第２反射面間距離ＤＲ２に基づき射出される第２の有彩色の光とを混ざりやすくする上では、複数の仮想線Ｌｖには、第１反射面２１ａと第２反射面２１ｂとの両方が位置する仮想線Ｌｖが含まれることが好ましい。
【０２１４】
複数の仮想線Ｌｖでは、第１配列方向において互いに隣り合う２つの仮想線Ｌｖの距離である仮想線間距離ＤＬ１が、仮想線Ｌｖの並ぶ順序に対し不規則に変わっている。言い換えれば、複数の仮想線Ｌｖは、第１配列方向においてランダムに配置され、各仮想線Ｌｖと他の残りの仮想線Ｌｖとは互いに平行である。すなわち、反射面２１ｓと対向する平面視では、複数の仮想線Ｌｖと交差する直線Ｌｓ上において、仮想線間距離ＤＬ１は、互いに異なる大きさを含み、仮想線Ｌｖの並びの順序に対し不規則に変わっている。
【０２１５】
複数の仮想線Ｌｖにおいて、仮想線間距離ＤＬ１は、例えば、０．３μｍ以上２μｍ以下であることが好ましい。仮想線間距離ＤＬ１が小さくなるほど、仮想線Ｌｖの延びる方向と直交する方向において光が射出される角度の範囲が大きくなる。そのため、表示体１０の観察者が、射出された光を観察することのできる領域が拡がる。一方で、仮想線間距離ＤＬ１が大きくなるほど、仮想線Ｌｖの延びる方向と直交する方向において光が射出される角度の範囲が小さくなる。そのため、表示体１０の観察者が、射出された光を観察することのできる領域が狭まる。
【０２１６】
各仮想線Ｌｖ上において、複数の矩形面２１ｒは、ランダムに並んでいる。すなわち、１つの仮想線Ｌｖに沿って配置される複数の矩形面２１ｒにおいて、互いに隣り合う矩形面２１ｒの間の距離は、一定の値ではない。複数の矩形面２１ｒが各仮想線Ｌｖにおいてランダムに並ぶ構成は、複数の矩形面２１ｒの並ぶ周期に基づいて、仮想線Ｌｖの延びる方向に沿って回折光が射出されることが抑えられる点で好ましい。
【０２１７】
なお、本実施形態では、各仮想線Ｌｖと他の残りの仮想線Ｌｖとの間においても、仮想線Ｌｖに対する複数の矩形面２１ｒの位置は互いに異なっている。しかし、各仮想線Ｌｖにおいて、複数の矩形面２１ｒがランダムに並んでいれば、各仮想線Ｌｖと他の残りの仮想線Ｌｖとの間では、仮想線Ｌｖに対する複数の矩形面２１ｒの位置が互いに同じであってもよい。
【０２１８】
また、各仮想線Ｌｖにおいて、複数の矩形面２１ｒは規則的に並んでいてもよい。すなわち、複数の矩形面２１ｒは所定の周期で並んでいてもよい。こうした構成であっても、表示部１２ｐは、第１反射面間距離ＤＲ１に基づく第１の有彩色の光と、第２反射面間距離ＤＲ２に基づく第２の有彩色の光とが混合された第３の有彩色の光を射出することは可能である。
【０２１９】
各仮想線Ｌｖには、複数の矩形面２１ｒが配置されているため、１つの仮想線Ｌｖに沿って配置された複数の矩形面２１ｒは、ヘアライン加工を用いて金属層などの表面に形成された構造体のように作用する。それゆえに、表示部１２ｐは、仮想線Ｌｖの延びる方向と直交する方向に光を射出する一方で、仮想線Ｌｖの延びる方向には、有彩色を有した光をほとんど射出しない。
【０２２０】
すなわち、１つの仮想線Ｌｖに沿って並ぶ矩形面２１ｒと、仮想線Ｌｖ上において、互いに隣り合う矩形面２１ｒの間を埋める第３反射面２１ｃとは、仮想線Ｌｖに沿って延びる１つの面である疑似面２１ｄと同様な機能を発現する。そのため、疑似面２１ｄと互いに隣り合う疑似面２１ｄ間の第２反射面２１ｂとによって生成された第３の有彩色の光が、仮想線Ｌｖと直交する方向に射出される。
【０２２１】
言い換えれば、表示部１２ｐにおいて、表示部１２ｐから光が射出される方向のうち、射出光の光量が最も大きい方向と直交する方向が、仮想線Ｌｖの延びる方向である。そのため、表示部１２ｐにおいて仮想線Ｌｖの延びる方向は、表示部１２ｐから射出される光の方向によって特定することが可能である。
【０２２２】
これに対して、図２２は、一般的なヘアライン加工を用いて金属層の表面に形成された構造体ＨＬを示している。図２２が示すように、ヘアライン加工後の金属層には、Ｙ方向に沿って延びる複数の直線形状を有する構造体が形成され、複数の構造体は、Ｙ方向と交差する方向に沿って不規則な間隔で配置されている。また、複数の構造体の高さには、互いに異なる大きさが含まれる。そのため、ヘアライン加工によって形成された構造体は、特定の波長の光の回折効率を低下させる作用は有していない。それゆえに、ヘアライン加工後の金属層に白色光が入射すると、金属層は、Ｙ方向と直交する方向であるＸ方向に沿って白色の散乱光を射出する。
【０２２３】
図２３は、第１表示領域１２、第２表示領域１３、および、第３表示領域１４の各々の一部であって、各表示領域に含まれる１つの表示部の一例を拡大して示している。図２３では、説明の便宜上から、各表示領域の表示部が１つの方向に沿って並べて示されている。
【０２２４】
また、図２３には、反射面２１ｓと対向する方向から見た平面構造が示されている。そして、図２３では、図２１と同様、図示の便宜上から、反射層２１の図示が省略されているが、以下では、説明の便宜上から、被覆面２３ｓを反射面２１ｓとして説明する。
【０２２５】
図２３が示すように、反射面２１ｓと対向する平面視において、第１表示領域１２の表示部１２ｐは、複数の仮想線Ｌｖを含み、各仮想線はＸ方向に沿って延び、複数の仮想線Ｌｖは、Ｙ方向に沿ってランダムに並んでいる。
【０２２６】
各仮想線Ｌｖには、複数の矩形面２１ｒが並び、各仮想線Ｌｖにおいて、複数の矩形面２１ｒは、ランダムに並んでいる。なお、各仮想線Ｌｖにおいて、複数の矩形面２１ｒは、所定の周期で並んでいてもよい。
【０２２７】
反射面２１ｓと対向する平面視において、第２表示領域１３の表示部１３ｐは、第１表示領域１２の表示部１２ｐと同様、複数の仮想線Ｌｖを含んでいる。複数の仮想線Ｌｖの各々は、Ｘ方向と交差する方向である第２延伸方向に沿って延び、表示部１３ｐにおいて、仮想線Ｌｖの延びる方向である方位角方向が、第１表示領域１２の表示部１２ｐとは異なっている。複数の仮想線Ｌｖは、第２延伸方向と直交する第２配列方向に沿って、ランダムに並んでいる。
【０２２８】
各仮想線Ｌｖには、複数の矩形面２１ｒが並び、各仮想線Ｌｖにおいて、複数の矩形面２１ｒは、ランダムに並んでいる。なお、各仮想線Ｌｖにおいて、複数の矩形面２１ｒは、所定の周期で並んでいてもよい。
【０２２９】
反射面２１ｓと対向する平面視において、第３表示領域１４の表示部１４ｐは、第１表示領域１２の表示部１２ｐと同様、複数の仮想線Ｌｖを含んでいる。複数の仮想線Ｌｖの各々は、Ｘ方向と交差する方向である第３延伸方向に沿って延び、Ｘ方向と第３延伸方向とが形成する角度は、Ｘ方向と第２延伸方向とが形成する角度よりも大きい。表示部１４ｐにおいて、仮想線Ｌｖの延びる方向である方位角方向は、第１表示領域１２における方位角方向、および、第２表示領域１３における方位角方向のいずれとも異なる方向である。なお、Ｘ方向と第３延伸方向とが形成する角度は、Ｘ方向と第２延伸方向とが形成する角度よりも小さくてもよい。複数の仮想線Ｌｖは、第３延伸方向と直交する方向である第３配列方向に沿って、ランダムに並んでいる。
【０２３０】
各仮想線Ｌｖには、複数の矩形面２１ｒが並び、各仮想線Ｌｖ上において、複数の矩形面２１ｒは、ランダムに並んでいる。なお、各仮想線Ｌｖにおいて、複数の矩形面２１ｒは、所定の周期で並んでいてもよい。
【０２３１】
第１表示領域１２、第２表示領域１３、および、第３表示領域１４の間では、仮想線Ｌｖの延びる方向が互いに異なる。そのため、第１表示領域１２、第２表示領域１３、および、第３表示領域１４の各々から、互いに異なる指向性を有した光が射出される。
【０２３２】
なお、第１表示領域１２、第２表示領域１３、および、第３表示領域１４の間では、仮想線Ｌｖの延びる方向が互いに異なっているが、仮想線Ｌｖの延びる方向は、３つの表示領域のうちの少なくとも２つの表示領域の間において、互いに同じであってもよい。
【０２３３】
各表示領域における第１反射面間距離ＤＲ１は、他の残りの表示領域における第１反射面間距離ＤＲ１と互いに等しく、かつ、各表示領域における第２反射面間距離ＤＲ２は、他の残りの表示領域における第２反射面間距離ＤＲ２と互いに等しい。そのため、第１表示領域１２から射出される光の色、第２表示領域１３から射出される光の色、および、第３表示領域１４から射出される光の色は、互いに同じ有彩色を有した光である。
【０２３４】
［表示体の作用］
図２４を参照して、表示体１０の作用を説明する。なお、図２４は、複数の第１反射面２１ａ、複数の第２反射面２１ｂ、および、第３反射面２１ｃを含む表示部１２ｐの一例における斜視構造を示している。
【０２３５】
また、図２４では、図示の便宜上から、反射層２１を、第１反射面２１ａを頂面として備える複数の第１凸部、第２反射面２１ｂを頂面として備える複数の第２凸部、および、第３反射面２１ｃを複数の第１凸部と複数の第２凸部とが位置する１つの面として有する層から構成される構造体として示している。
【０２３６】
なお、以下では、説明の便宜上から、上述した第１実施形態と同様、反射面２１ｓに向けて放射される白色を有した照明光ＩＬに含まれる成分を、赤色光、緑色光、および、青色光に限定しているが、実際には、照明光ＩＬは、これら有彩色の光以外の成分を含んでいる。
【０２３７】
図２４が示すように、反射面２１ｓに光源ＬＳの放射した照明光ＩＬが入射したとき、例えば、第１実施形態と同様、第１反射面間距離ＤＲ１に応じて、４６０ｎｍの波長を有した第１青色光ＤＬｂ１と、５４０ｎｍの波長を有した第１緑色光ＤＬｇ１とが反射面２１ｓから射出される。そのため、反射面２１ｓから射出される光は、第１の有彩色であるシアン色を有した光を含む。
【０２３８】
また、反射面２１ｓに光源ＬＳの放射した照明光ＩＬが入射したとき、例えば、第１実施形態と同様、第２反射面間距離ＤＲ２に応じて、５１０ｎｍの波長を有した第２青色光ＤＬｂ２と、５９０ｎｍの波長を有した第２緑色光ＤＬｇ２とが反射面から射出される。そのため、反射面２１ｓから射出される光は、第１の有彩色とは異なる第２の有彩色であって、第１の有彩色と比べて緑色寄りのシアン色を有した光を含む。
【０２３９】
反射面２１ｓの中で、複数の矩形面２１ｒは、第１延伸方向に沿って延びる仮想線Ｌｖの上に沿って並んでいる。そのため、各仮想線Ｌｖ上において、複数の矩形面２１ｒと、互いに隣り合う矩形面２１ｒの間に位置する第３反射面２１ｃが、１つの疑似面２１ｄとして機能する。それゆえに、反射面２１ｓから射出される光は、第１配列方向に沿って並ぶ疑似面２１ｄと、２つの疑似面２１ｄの間に位置する第３反射面２１ｃとによって形成される構造のために、疑似面２１ｄの延びる方向である第１延伸方向と直交する第１配列方向に射出される。
【０２４０】
結果として、反射面２１ｓから射出される第１青色光ＤＬｂ１、第１緑色光ＤＬｇ１、第２青色光ＤＬｂ２、および、第２緑色光ＤＬｇ２の各々は、反射面２１ｓの上に位置する平面であって、第１配列方向とＺ方向とによって規定される平面に射出される。
【０２４１】
このように、各仮想線Ｌｖに沿って複数の矩形面２１ｒが並ぶ構成によれば、第３の有彩色の光の射出される方向には、反射面２１ｓと対向する平面視において、仮想線Ｌｖの延びる方向とほぼ直交する方向への指向性が与えられる。それゆえに、表示体１０が、所定の有彩色を有した光を射出しつつ、光を等方的に射出する構成と比べて、動的に変わる像を表示することができる。
【０２４２】
以上説明したように、表示体、物品、原版、および、原版の製造方法の第２実施形態によれば、上述した（１）、（２）、および、（４）から（７）の効果に加えて、以下に記載の効果を得ることができる。
【０２４３】
（１１）仮想線Ｌｖの各々の上に、複数の矩形面２１ｒが並んでいるため、各仮想線Ｌｖ上の複数の矩形面２１ｒと、反射面２１ｓと対向する平面視において、第３反射面２１ｃのうち、互いに隣り合う矩形面２１ｒの間に位置する部分とが、１つの疑似面２１ｄを形成していると見なすことができる。これにより、仮想線Ｌｖ上に並ぶ矩形面２１ｒと仮想線間に位置する第３反射面２１ｃとの間における反射光の干渉によって有彩色の光が生成され、有彩色の光の射出される方向には、反射層の表面と対向する平面視において、仮想線の延びる方向とほぼ直交する方向への指向性が与えられる。それゆえに、表示体１０が、所定の有彩色を有した光を射出しつつ、光を等方的に射出する構成と比べて、動的に変わる像を表示することができる。
【０２４４】
［第２実施形態の変形例］
なお、上述した第２実施形態は、以下のように適宜変更して実施することもできる。
・第１表示領域１２に含まれる複数の表示部１２ｐの全てにおいて、仮想線Ｌｖの延びる方向が互いに等しくなくてもよい。
例えば、各表示領域に含まれる複数の表示部において、各表示部に含まれる複数の仮想線Ｌｖが互いに平行である。そして、隣り合う２つの表示部の間において、第１表示部の一例である一方の表示部における仮想線Ｌｖの延びる方向と、第２表示部の一例である他方の表示部における仮想線Ｌｖの延びる方向とが形成する角度である仮想線間角が１０°以下である。
【０２４５】
こうした構成によれば、以下に記載の効果を得ることができる。
（１２）互いに隣り合う２つの表示部の間において、仮想線間角が１０°以下に抑えられている。そのため、各仮想線の延びる方向と、観察者の視線の方向とが形成する角度が変わるに連れて、互いに隣り合う２つの表示部の間において、輝度が連続的に変わる。
【０２４６】
・表示部１２ｐにおいて、複数の仮想線Ｌｖは、表示部１２ｐの中に設定された１つの始点部から放射状に延びていてもよい。始点部が所定の１点であって、各仮想線Ｌｖにおける始点が、他の残りの仮想線Ｌｖにおける始点と一致するときには、複数の仮想線Ｌｖは、扇形状、および、円形状のいずれか１つを形成することができる。こうした構成では、上述した第２実施形態と同様、複数の仮想線Ｌｖと交差する直線上において、仮想線間距離には、互いに異なる大きさが含まれる。なお、複数の仮想線Ｌｖのうち、互いに隣り合う２つの仮想線Ｌｖが形成する角度は、例えば１０°以下に設定され、数度であることが好ましい。
【０２４７】
こうした構成によれば、各仮想線Ｌｖの延びる方向と、観察者の視線の方向とが形成する角度が変わるに連れて、表示部１２ｐの中で相対的に輝度が高い部分であるとして認識される部分と、相対的に輝度が低い部分であるとして認識される部分とが連続的に変わる。
【０２４８】
・複数の仮想線Ｌｖが始点部から放射状に延びる構成では、１つの始点部が、所定の面積を有した領域であってもよく、この場合には、複数の仮想線Ｌｖは、始点部を共有する一方で、複数の仮想線Ｌｖにおける始点が一致していなくてもよい。こうした構成では、複数の仮想線Ｌｖは、１つの表示体の中で、円環形状を形成していてもよいし、円弧形状を形成していてもよい。
【０２４９】
・複数の表示部１２ｐには、複数の矩形面２１ｒが、表示部１２ｐ内にランダムに配置された表示部、複数の仮想線Ｌｖを含み、各仮想線Ｌｖが他の残りの仮想線Ｌｖと互いに平行である表示部、および、放射状に延びる複数の仮想線Ｌｖを含む表示部のうちの少なくとも２つが含まれていてもよい。
【０２５０】
・各表示領域から射出される光の色は、他の残りの表示領域から射出される光の色と互いに異なっていてもよい。すなわち、各表示領域における第１反射面間距離ＤＲ１が他の残りの表示領域における第１反射面間距離ＤＲ１と互いに異なること、および、各表示領域における第２反射面間距離ＤＲ２が他の残りの表示領域における第２反射面間距離ＤＲ２と互いに異なることの少なくとも一方が満たされていてもよい。
【０２５１】
あるいは、表示体１０には、複数の表示領域群が含まれてもよく、各表示領域群には、少なくとも１つの表示領域が含まれる。そして、各表示領域群に含まれる表示領域が１つの色の光を射出する一方で、各表示領域群に含まれる表示領域が射出する光の色は、他の残りの表示領域群に含まれる表示領域が射出する光の色と互いに異なっていてもよい。
【符号の説明】
【０２５２】
１０…表示体、１１…基材、１２…第１表示領域、１２ｐ，１２ｐ１，１２ｐ２，１３ｐ，１４ｐ…表示部、１３…第２表示領域、１４…第３表示領域、２１…反射層、２１ａ…第１反射面、２１ｂ…第２反射面、２１ｃ…第３反射面、２１ｄ…疑似面、２１ｒ…矩形面、２１ｓ…反射面、２２…支持層、２３…凹凸層、２３ａ…第１被覆面、２３ｂ…第２被覆面、２３ｃ…第３被覆面、２３ｄ…側面、２３ｓ…被覆面、３０…ＩＣカード、３１…カード基材、３１ａ…凹部、３２…印刷層、３２ａ…貫通孔、３３…ＩＣチップ、４０…原版、４１…ガラス基板、４２…レジスト層、４２ａ…第１転写面、４２ｂ…第２転写面、４２ｃ…第３転写面、４２ｒ…矩形転写面、４２ｓ…転写面、５０…反射防止部、５１，６１…凸部、６０…光散乱部。
【図１】
0006520360.tif 000004
【図２】
0006520360.tif 000005
【図３】
0006520360.tif 000006
【図４】
0006520360.tif 000007
【図５】
0006520360.tif 000008
【図６】
0006520360.tif 000009
【図７】
0006520360.tif 000010
【図８】
0006520360.tif 000011
【図９】
0006520360.tif 000012
【図１０】
0006520360.tif 000013
【図１１】
0006520360.tif 000014
【図１２】
0006520360.tif 000015
【図１３】
0006520360.tif 000016
【図１４】
0006520360.tif 000017
【図１５】
0006520360.tif 000018
【図１６】
0006520360.tif 000019
【図１７】
0006520360.tif 000020
【図１８】
0006520360.tif 000021
【図１９】
0006520360.tif 000022
【図２０】
0006520360.tif 000023
【図２１】
0006520360.tif 000024
【図２２】
0006520360.tif 000025
【図２３】
0006520360.tif 000026
【図２４】
0006520360.tif 000027